(57)【要約】【課題】部材の破損を防止できるレンズ鏡筒および撮像装置を提供する。【解決手段】  交換レンズユニット２は、第２レンズ群ユニット７７と、フォーカスレンズユニット７５と、第４レンズ群ユニット７８と、ズームリングユニット８３と、フォーカスモータ６４と、予備バッテリーユニット１９８と、を備えている。ズームリングユニット８３は、ズームリング８４に入力された操作力を、第２レンズ群ユニット７７および第４レンズ群ユニット７８に機械的に伝達する。フォーカスモータ６４は、電力を利用して第２レンズ群ユニット７７に対してフォーカスレンズユニット７５をＺ軸方向に駆動する。予備バッテリーユニット１９８は、バッテリー２２からフォーカスモータ６４への電力供給が停止した場合にフォーカスモータ６４に電力を供給可能である。【選択図】図１６
2010049203.tif 000002
【特許請求の範囲】
【請求項１】
主電源から電力が供給可能で、被写体の光学像を撮像素子に結像するためのレンズ鏡筒であって、
第１レンズ素子と、前記第１レンズ素子を支持する第１レンズ支持枠と、を有する第１レンズユニットと、
前記第１レンズ素子に対して光軸方向に相対移動することで焦点距離を変化させるための第２レンズ素子と、前記第２レンズ素子を支持する第２レンズ支持枠と、を有する第２レンズユニットと、
前記第１レンズ素子または前記第２レンズ素子に対して前記光軸方向に移動することで前記光学像のフォーカス状態を変化させるためのフォーカスレンズと、前記フォーカスレンズを支持するフォーカスレンズ支持枠と、を有するフォーカスレンズユニットと、
前記第１レンズユニットおよび前記第２レンズユニットを前記光軸方向に相対移動させるための機構であって、ユーザーにより操作されるズーム操作部を有し、前記ズーム操作部に入力された操作力を、前記第１レンズユニットおよび前記第２レンズユニットのうち少なくとも一方に機械的に伝達するズーム機構と、
前記第１レンズユニットと一体で移動するように前記ズーム機構により支持されたアクチュエータであって、電力を利用して前記第１レンズユニットに対して前記フォーカスレンズユニットを前記光軸方向に駆動するフォーカスアクチュエータと、
前記主電源から前記フォーカスアクチュエータへの電力供給が停止した場合に前記フォーカスアクチュエータに電力を供給可能な予備電源と、
を備えたレンズ鏡筒。
【請求項２】
前記予備電源から前記フォーカスアクチュエータに電力が供給されている場合に、前記フォーカスレンズユニットが前記第２レンズユニットと接触しない退避位置まで前記フォーカスレンズユニットが移動するように前記フォーカスアクチュエータを制御する駆動制御部をさらに備えた、
請求項１に記載のレンズ鏡筒。
【請求項３】
前記退避位置は、前記フォーカスアクチュエータへの電力供給が停止している状態で前記ズーム操作部が操作された場合に前記フォーカスレンズユニットが前記第２レンズユニットと接触しない位置である、
請求項２に記載のレンズ鏡筒。
【請求項４】
前記第１レンズユニットに対する前記フォーカスレンズユニットの位置を検出する位置センサをさらに備え、
前記駆動制御部は、前記位置センサの検出結果に基づいて、前記退避位置まで前記フォーカスレンズユニットを移動させるか否かを決定する、
請求項３に記載のレンズ鏡筒。
【請求項５】
前記予備電源から前記フォーカスアクチュエータに電力が供給されている場合に前記フォーカスレンズユニットが予め定められた位置または範囲に配置されていないとき、前記駆動制御部は、前記フォーカスレンズユニットが前記予め定められた位置または範囲まで移動するように前記フォーカスアクチュエータを制御する、
請求項４に記載のレンズ鏡筒。
【請求項６】
前記位置センサにより前記フォーカスレンズユニットが検出可能な位置は、前記フォーカスアクチュエータへの電力供給が停止している状態で前記ズーム操作部が操作されても前記フォーカスレンズユニットが前記第２レンズユニットと接触しない位置である、
請求項４または５に記載のレンズ鏡筒。
【請求項７】
請求項１から６のいずれかに記載のレンズ鏡筒と、
前記主電源を有するカメラ本体と、
を備えた撮像装置。
【発明の詳細な説明】
【技術分野】
【０００１】
本発明は、焦点距離を変更可能なレンズ鏡筒に関する。
【背景技術】
【０００２】
従来のデジタルカメラには、焦点が合う被写体の物点距離（以下、被写体距離ともいう）を実質的に一定に保ちながら焦点距離を変更可能なズームレンズ系が採用されている。例えば、ズームレンズ系は、コンパクトデジタルカメラや交換レンズ式のデジタルカメラに採用されている。
例えば、従来のレンズ鏡筒では、ズーム機構の動作に伴い、フォーカスレンズを含むフォーカスレンズユニットをカム機構により光軸方向に移動させている。これにより、被写体距離を実質的に一定に保ちながら焦点距離を変更することができる（例えば、特許文献１を参照）。
【特許文献１】特開２００６−１１３２８９号公報
【発明の開示】
【発明が解決しようとする課題】
【０００３】
ところで、従来の交換レンズ式デジタルカメラでは、オートフォーカスの方式として位相差検出方式が採用されている。
しかし、最近では、オートフォーカスの方式としてコントラスト検出方式が採用された交換レンズ式デジタルカメラが提案されている。このコントラスト検出方式では、例えば、フォーカスレンズユニットを光軸方向に動かしながら、フォーカスレンズユニットの各位置における評価値が画像データに基づいて求められる。評価値が一旦ピークを超えるまでフォーカスレンズユニットを移動させ、その後に、評価値が最大である位置まで戻すことで被写体像（被写体の光学像）を合焦させる。このように、コントラスト検出方式によるオートフォーカスにおいては、フォーカスレンズユニットを光軸方向に往復移動させる必要がある。
【０００４】
また、動画撮影時には焦点を合わせ続ける必要があるため、継続的にフォーカスレンズユニットを往復移動させ評価値のピーク位置を検出する必要がある。
このように、コントラスト検出方式を用いる場合、フォーカスレンズユニットを光軸方向に移動させるため、駆動速度を考慮するとフォーカスレンズユニットを小型化するのが好ましい。
しかし、特許文献１に記載のレンズ鏡筒のように、フォーカスレンズユニットをカム機構で光軸方向に駆動する構成を採用すると、フォーカスレンズユニットの寸法が大きくなったり、あるいはフォーカスレンズユニットの重量が増大したりする。
そこで、ズーム機構の駆動をユーザーの手動操作のみで行い、かつ、ズーム機構に対するフォーカスレンズユニットの駆動をアクチュエータのみで行うレンズ鏡筒を、本願の発明者は検討している。この場合、フォーカスレンズユニットおよびその周辺の構造が簡素化されるため、フォーカスレンズユニットの小型化が可能となる。
【０００５】
しかし、フォーカスレンズユニットがアクチュエータのみで駆動されるため、交換レンズユニットに電力が供給されない状態でズーム機構がユーザーにより手動で操作されると、フォーカスレンズユニットの停止位置によっては、ズーム機構により駆動されるレンズ群あるいはレンズ支持枠がフォーカスレンズユニットと接触するおそれがある。
本発明の課題は、部材の破損を防止できるレンズ鏡筒および撮像装置を提供することにある。
【課題を解決するための手段】
【０００６】
本発明に係るレンズ鏡筒は、主電源から電力が供給可能で、被写体の光学像を撮像素子に結像するためのレンズ鏡筒であって、第１レンズユニットと、第２レンズユニットと、フォーカスレンズユニットと、ズーム機構と、フォーカスアクチュエータと、予備電源と、を備えている。第１レンズユニットは、第１レンズ素子と、第１レンズ素子を支持する第１レンズ支持枠と、を有している。第２レンズユニットは、第１レンズ素子に対して光軸方向に相対移動することで焦点距離を変化させるための第２レンズ素子と、第２レンズ素子を支持する第２レンズ支持枠と、を有している。フォーカスレンズユニットは、第１レンズ素子または第２レンズ素子に対して光軸方向に移動することで光学像のフォーカス状態を変化させるためのフォーカスレンズと、フォーカスレンズを支持するフォーカスレンズ支持枠と、を有している。ズーム機構は、第１レンズユニットおよび第２レンズユニットを光軸方向に相対移動させるための機構であって、ユーザーにより操作されるズーム操作部を有し、ズーム操作部に入力された操作力を、第１レンズユニットおよび第２レンズユニットのうち少なくとも一方に機械的に伝達する。フォーカスアクチュエータは、第１レンズユニットと一体で移動するようにズーム機構により支持されたアクチュエータであって、電力を利用して第１レンズユニットに対してフォーカスレンズユニットを光軸方向に駆動する。予備電源は、主電源からフォーカスアクチュエータへの電力供給が停止した場合にフォーカスアクチュエータに電力を供給可能である。
【０００７】
このレンズ鏡筒では、主電源からフォーカスアクチュエータへの電力供給が停止した場合に、予備電源からフォーカスアクチュエータに電力が供給されるため、例えばフォーカスレンズユニットが第２レンズユニットに接触しない位置までフォーカスレンズユニットをフォーカスアクチュエータにより駆動することができる。この結果、主電源からの電力供給が停止している状態でズーム操作部が操作されても、フォーカスレンズユニットが第２レンズユニットに接触するのを防止することができる。これにより、このレンズ鏡筒およびこのレンズ鏡筒が搭載された撮像装置では、部材の破損を防止できる。
ここで、レンズ鏡筒には、カメラ本体と一体型のレンズ鏡筒の他に、交換レンズ式の撮像装置に用いられる交換レンズユニットも含まれる。撮像装置には、カメラ本体とレンズ鏡筒とが一体の撮像装置の他に、交換レンズ式の撮像装置も含まれる。撮像装置としては、例えばデジタルスチルカメラ、交換レンズ式のデジタルカメラ、デジタルビデオカメラ、カメラ付き携帯電話およびカメラ付きＰＤＡが考えられる。また、撮像装置には、静止画のみ撮影可能な装置、動画のみ撮影可能な装置、静止画および動画が撮影可能な装置が含まれ得る。
【０００８】
なお、第１レンズ素子、第２レンズ素子およびフォーカスレンズは、それぞれ複数のレンズから構成されていてもよい。また、「フォーカスアクチュエータが第１レンズユニットと一体で移動する」状態には、フォーカスアクチュエータが第１レンズユニットに対して移動しながら全体として一体で移動する状態も含まれる。
【発明の効果】
【０００９】
本発明によれば、部材の破損を防止できるレンズ鏡筒および撮像装置を提供することができる。
【発明を実施するための最良の形態】
【００１０】
以下、本発明の実施の形態について図面を参照して、詳細に説明する。
［第１実施形態］
＜デジタルカメラの概要＞
図１〜図１３を用いて、デジタルカメラ１について説明する。図１はデジタルカメラ１の概略構成図である。図１に示すように、デジタルカメラ１（撮像装置の一例）は、交換レンズ式のデジタルカメラであり、主に、カメラ本体３と、カメラ本体３に取り外し可能に装着された交換レンズユニット２（レンズ鏡筒の一例）と、を備えている。交換レンズユニット２は、レンズマウント９５を介して、カメラ本体３の前面に設けられたボディーマウント４に装着されている。
図２はカメラ本体３の構成を示すブロック図である。図３はデジタルカメラ１の概略斜視図である。図４（Ａ）はカメラ本体３の上面図であり、図４（Ｂ）はカメラ本体３の背面図である。図５〜図８は交換レンズユニット２の概略断面図である。図５および図６が広角端の状態を示しており、図７および図８が望遠端の状態を示している。図６は図５とは異なる平面における断面図である。図８は図７とは異なる平面における断面図である。図９および図１０は第２レンズ群ユニット７７およびフォーカスレンズユニット７５の分解斜視図である。図１２（Ａ）および図１２（Ｂ）は光学系Ｌの構成図である。図１２（Ａ）が広角端の状態を示しており、図１２（Ｂ）が望遠端の状態を示している。図１３は、ズームリング８４の回転位置と、各部材の撮像センサ１１からの距離と、の関係を示している。
【００１１】
なお、本実施形態では、デジタルカメラ１に対して３次元直交座標系を設定する。光学系Ｌ（後述）の光軸ＡＺはＺ軸方向（光軸方向の一例）と一致している。Ｘ軸方向はデジタルカメラ１での縦撮り姿勢における水平方向と一致している。Ｙ軸方向はデジタルカメラ１での横撮り姿勢における鉛直方向と一致している。また、以下の説明において、「前」とは、デジタルカメラ１の被写体側（Ｚ軸方向正側）を、「後」とは、デジタルカメラ１の被写体側と反対側（ユーザー側、Ｚ軸方向負側）を意味する。
＜交換レンズユニット＞
図１〜図１２（Ｂ）を用いて交換レンズユニット２の概略構成を説明する。図１に示すように、交換レンズユニット２は、光学系Ｌと、光学系Ｌを支持するレンズ支持機構７１と、フォーカス調節ユニット７２と、絞り調節ユニット７３と、振れ補正ユニット７４と、レンズマイコン４０（駆動制御部の一例）と、を有している。
【００１２】
（１）光学系
光学系Ｌは、被写体の光学像を形成するためのズームレンズ系であり、主に４つのレンズ群から構成されている。具体的には図１２（Ａ）および図１２（Ｂ）に示すように、光学系Ｌは、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、を有している。
第１レンズ群Ｇ１は、第１レンズＬ１と、第１レンズＬ１の撮像センサ１１側に配置あされた第２レンズＬ２と、を有している。第１レンズＬ１は被写体側を向く凸面を有する負メニスカスレンズである。第２レンズＬ２は、被写体側を向く凸面を有する正メニスカスレンズであり、接着層を介して第１レンズＬ１に接合されている。
【００１３】
第２レンズ群Ｇ２は、第３レンズＬ３と、第３レンズＬ３の撮像センサ１１側に配置された第４レンズＬ４と、第４レンズＬ４の撮像センサ１１側に配置された第５レンズＬ５（第１レンズ素子の一例）と、を有している。第３レンズＬ３は被写体側に向く凸面を有する負メニスカスレンズである。第４レンズＬ４は両凹レンズである。第５レンズＬ５は両凸レンズである。
第３レンズ群Ｇ３は第６レンズＬ６（フォーカスレンズの一例）から構成されている。第６レンズＬ６は、撮像センサ１１側を向く凸面を有する負メニスカスレンズであり、第５レンズＬ５と第７レンズＬ７とのＺ軸方向間（第２レンズ群Ｇ２と第４レンズ群Ｇ４とのＺ軸方向間）に配置されている。
第４レンズ群Ｇ４は、第７レンズＬ７（第２レンズ素子の一例）と、第８レンズＬ８と、第９レンズＬ９と、第１０レンズＬ１０と、第１１レンズＬ１１と、第１２レンズＬ１２と、を有している。第７レンズＬ７は、振れ補正のための正メニスカスレンズであり、撮像センサ１１側を向く凸面を有している。第８レンズＬ８は両凸レンズである。第９レンズＬ９は、両凹レンズであり、接着層を介して第８レンズＬ８に接合されている。第１０レンズＬ１０は両凸レンズである。第１０レンズＬ１０の被写体側の面は、非球面である。第１１レンズＬ１１は、被写体側を向く凸面を有する負メニスカスレンズであり、接着層を介して第１０レンズＬ１０に接合されている。第１２レンズＬ１２は両凸レンズである。
【００１４】
図１２（Ａ）、図１２（Ｂ）および図１３に示すように、広角端から望遠端へのズーミング時には、第１レンズ群Ｇ１〜第４レンズ群Ｇ４は、それぞれ被写体側へと光軸ＡＺに沿ってＺ軸方向へ移動する。より詳細には、広角端から望遠端へのズーミング時には、第１レンズ群Ｇ１と第２レンズ群Ｇ２との間隔が増加し、第２レンズ群Ｇ２と第３レンズ群Ｇ３との間隔が増加し、第３レンズ群Ｇ３と第４レンズ群Ｇ４との間隔が減少する。絞りユニット６２（後述）は第４レンズ群Ｇ４と共に被写体側に移動する。
また、無限遠合焦状態から近接合焦状態へのフォーカシング時には、第３レンズ群Ｇ３が光軸ＡＺに沿って被写体側へと移動する。
さらに、デジタルカメラ１の動きに起因する光学像の振れを抑制するために、第７レンズＬ７が光軸ＡＺと直交する２方向に移動する。
【００１５】
（２）レンズ支持機構
レンズ支持機構７１は、光学系Ｌを移動可能に支持するための機構であり、レンズマウント９５と、固定枠５０と、カム筒５１と、第１ホルダー５２と、第１レンズ群支持枠５３と、第２レンズ群支持枠５４（第１レンズ支持枠の一例）と、第２ホルダー５５（第１レンズ支持枠の一例）と、第３レンズ群支持枠５６（フォーカスレンズ支持枠の一例）と、第４レンズ群支持枠６１と、ズームリングユニット８３（ズーム機構の一例）と、フォーカスリングユニット８８と、を有している。
レンズマウント９５は、カメラ本体３のボディーマウント４に装着される部分であり、レンズ側接点９１を有している。固定枠５０は、カム筒５１を回転可能に支持する部材であり、レンズマウント９５に固定されている。固定枠５０は、Ｚ軸方向正側の端部に突起５０ａと、外周に設けられた３つの凹部５０ｂと、光軸ＡＺ回りに等ピッチで配置された３本の貫通直進溝５０ｃと、を有している。カム筒５１は、内周に設けられた３つの凸部５１ａと、３本の第１カム溝５１ｄと、３本の第２カム溝５１ｂと、３本の第３カム溝５１ｃと、を有している。カム筒５１の凸部５１ａが固定枠５０の凹部５０ｂに挿入されているため、Ｚ軸方向の相対移動が規制された状態で、固定枠５０に対して回転可能なようにカム筒５１が固定枠５０により支持されている。
【００１６】
第１レンズ群支持枠５３は、第１ホルダー５２に固定されており、第１レンズ群Ｇ１を支持している。第１ホルダー５２は、内周側に形成されＺ軸方向に延びる縦溝５２ａと、光軸ＡＺ周りに等ピッチで配置された３つのカムピン８１と、を有している。縦溝５２ａには固定枠５０の突起５０ａが挿入されている。カムピン８１はカム筒５１の第１カム溝５１ｄに挿入されている。これらの構成により、第１ホルダー５２は固定枠５０に対して回転することなくＺ軸方向に移動可能である。固定枠５０に対する第１ホルダー５２の移動量は第１カム溝５１ｄの形状により決まる。第１ホルダー５２の先端には、偏光フィルタや保護フィルタのような光学フィルタおよびコンバージョンレンズを取り付けるための雌ねじ部５２ｃが形成されている。
第２レンズ群支持枠５４は、第２ホルダー５５に固定されており、第２レンズ群Ｇ２を支持している。第２レンズ群支持枠５４および第２ホルダー５５により、第２レンズ群ユニット７７（第１レンズユニットの一例）が構成されている。第２ホルダー５５は、光軸ＡＺ周りに等ピッチで配置された３つの凸部５５ｂと、凸部５５ｂに固定された３つのカムピン８２と、を有している。カムピン８２はカム筒５１の第２カム溝５１ｂに挿入されている。凸部５５ｂは固定枠５０の貫通直進溝５０ｃに挿入されている。これらの構成により、第２レンズ群支持枠５４および第２ホルダー５５は、固定枠５０に対して回転することなくＺ軸方向に移動可能である。固定枠５０に対する第２レンズ群支持枠５４および第２ホルダー５５の移動量は、第２カム溝５１ｂの形状により決まる。
【００１７】
第３レンズ群支持枠５６は、第３レンズ群Ｇ３（より詳細にはフォーカスレンズとして機能する第６レンズＬ６）を支持する部材であり、軸受け部５６ａと、廻り止め部５６ｂと、ラック支持部５６ｃと、突起５６ｄと、を有している。第６レンズＬ６および第３レンズ群支持枠５６によりフォーカスレンズユニット７５が構成されている。第２ホルダー５５は、Ｚ軸方向に延びる２本のガイドポール６３ａ、６３ｂの前側端部を支持している。ガイドポール支持板６５は、ガイドポール６３ａの後側端部を支持するための部材であり、第２ホルダー５５の撮像センサ１１側に固定されている。軸受け部５６ａにはガイドポール６３ａが挿入されており、廻り止め部５６ｂにはガイドポール６３ｂが挿入されている。ガイドポール６３ａおよび６３ｂにより、光軸ＡＺ周りの回転が規制された状態で、第３レンズ群支持枠５６はＺ軸方向に移動可能に支持されている。
【００１８】
ラック支持部５６ｃは、軸受け部５６ａからＺ軸方向負側に延びる部分であり、ラック６６を軸方向に一体で移動可能にかつ回転可能に支持している。ラック６６は、複数の歯６６ｃを有するラック本体６６ａと、Ｚ軸方向に延びる軸部６６ｂと、を有している。複数の歯６６ｃはフォーカスモータ６４のリードスクリュ６４ａと噛み合っている。軸部６６ｂはラック支持部５６ｃに支持されているため、ラック６６はラック支持部５６ｃに対して中心軸Ｒ回りに回転可能となっている。
さらに、図９および図１１に示すように、ラック支持部５６ｃにはねじりコイルバネ６８が取り付けられている。ねじりコイルバネ６８は、弾性力を発生する巻き回り部６８ａと、第１端部６８ｂと、第２端部６８ｃと、を有している。巻き回り部６８ａはラック６６の軸部６６ｂに挿入されている。巻き回り部６８ａが捩られた状態で、第１端部６８ｂがラック支持部５６ｃに引っかけられており、第２端部６８ｃがラック６６に引っかけられている。つまり、ねじりコイルバネ６８は、ラック６６に対してＡ方向へ回転力を付与しており、リードスクリュ６４ａに対してラック６６を常に押し付けている。これにより、ラック６６とリードスクリュ６４ａとの間のバックラッシュを低減することができ、フォーカスレンズユニット７５の位置精度を高めることができる。また、ラック６６がリードスクリュ６４ａに常に押し付けられているため、リードスクリュ６４ａからラック６６に駆動力を効率よく伝達することが可能となる。
【００１９】
さらに、ねじりコイルバネ６８の巻き回り部６８ａは、ラック支持部５６ｃとラック６６との間でＺ軸方向（中心軸Ｒに平行な方向）に圧縮されている。ねじりコイルバネ６８はラック６６に対して押付力Ｆを付与しており、ねじりコイルバネ６８によりラック６６はラック支持部５６ｃに押し付けられている。これにより、ラック６６がラック支持部５６ｃに対してＺ軸方向に移動するのを抑制でき、フォーカスレンズユニット７５の位置精度をさらに高めることができる。
第２ホルダー５５にはフォーカスモータ６４（フォーカスアクチュエータの一例）が固定されている。フォーカスモータ６４は例えばステッピングモータである。フォーカスモータ６４は、Ｚ軸方向に延びた回転軸としてのリードスクリュ６４ａを有している。このリードスクリュ６４ａにラック６６が噛み合っている。
【００２０】
突起５６ｄは、フォーカスレンズユニット７５の原点を検出するための部分であり、フォトセンサ６７（後述）の検出領域を通過可能な位置に設けられている。本実施形態では、フォーカスレンズ群である第３レンズ群Ｇ３が１枚の第６レンズＬ６により形成されているため、第３レンズ群Ｇ３の重量を例えば１ｇ以下とすることができ、フォーカスモータ６４での駆動速度を高めることができる。
第４レンズ群支持枠６１（第２レンズ支持枠の一例）は、第１支持枠５７と、第２支持枠５８と、第３支持枠５９と、第４支持枠６０と、を有している。第４レンズ群Ｇ４および第４レンズ群支持枠６１により、第４レンズ群ユニット７８（第２レンズユニットの一例）が構成されている。
第１支持枠５７は第７レンズＬ７を支持している。第２支持枠５８は、第８レンズＬ８および第９レンズＬ９を支持しており、さらに第１支持枠５７を光軸ＡＺに直交する２方向に移動可能に支持している。第２支持枠５８は光軸ＡＺ周りに等ピッチで配置された３つのカムピン８０を有している。
【００２１】
第３支持枠５９は、第１０レンズＬ１０および第１１レンズＬ１１を支持しており、例えばネジにより第２支持枠５８に固定されている。第４支持枠６０は、第１２レンズＬ１２を支持しており、例えばネジにより第３支持枠５９に固定されている。これらの構成により、第１支持枠５７、第２支持枠５８、第３支持枠５９および第４支持枠６０は、光軸ＡＺに沿って一体で移動する。
また、第１支持枠５７は、例えば第２支持枠５８により光軸ＡＺに直交する２方向に移動可能なように支持されている。この構成により、第１支持枠５７は、第２支持枠５８、第３支持枠５９および第４支持枠６０に対してＺ軸方向には一体で移動しつつ光軸ＡＺに直交する方向に移動可能である。
ズームリングユニット８３は、リングベース８６と、ズームリング８４（ズーム操作部の一例）と、ズームリング８４の回転位置を検出するリニアポジションセンサ８７と、を有している。ズームリング８４の回転位置とは、ズームリング８４の回転方向の位置を意味しており、ある基準位置からのズームリング８４の回転角度ということもできる。
【００２２】
ズームリング８４は、円筒形状を有しており、固定枠５０に固定されたリングベース８６により、Ｚ軸方向への移動が規制された状態で光軸ＡＺ周りに回転可能に支持されている。ズームリング８４はＺ軸方向負側の端部に貫通穴８４ａを有している。貫通穴８４ａには、カム筒５１に固定されたズーム駆動ピン８５が挿入されている。これにより、カム筒５１はズームリング８４と光軸ＡＺ周りに一体回転する。
リニアポジションセンサ８７は、ユーザーによるズームリング８４の回転位置および回転方向を検出し、検出結果をレンズマイコン４０に送信する。具体的には、リニアポジションセンサ８７は、リングベース８６に固定されており、半径方向外側に突出する摺動子８７ａを有している。この摺動子８７ａは、ズームリング８４に形成されたカム溝８４ｂに挿入されている。固定枠５０に対してズームリング８４が回転すると、カム溝８４ｂに沿って摺動子８７ａはＺ軸方向に移動する。リニアポジションセンサ８７は、可変抵抗器を有しており、摺動子８７ａがこの可変抵抗器内にある磁気抵抗体上をスライドすることにより、両端に所定の電圧を付与した端子間において、摺動子８７ａのＺ軸方向の位置に比例した出力（出力電圧）をリニアに得ることができる。リニアポジションセンサ８７の出力を回転位置情報に変換することで、ズームリング８４の回転位置を検出することが可能となる。ズームリング８４の外周面には、光学系Ｌの焦点距離が表示されている。
【００２３】
なお、第１レンズ群Ｇ１〜第４レンズ群Ｇ４がレンズ支持機構７１を介して機械的に連結されているため、第１レンズ群Ｇ１〜第４レンズ群Ｇ４の絶対位置（例えば、撮像センサ１１の受光面１１ａを基準とした位置）はズームリング８４の回転位置と一定の関係を有している。したがって、ズームリング８４の回転位置を検出することにより、例えばレンズマウント９５に対する第１レンズ群Ｇ１〜第４レンズ群Ｇ４の絶対位置を把握することができる。なお、ズームリング８４は、例えば可動式のレバーのような他の構造を有していてもよい。
フォーカスリングユニット８８は、フォーカスリング８９と、フォーカスリング８９の回転角度を検出するフォーカスリング角度検出部９０と、を有している。フォーカスリング８９は、円筒形状を有しており、リングベース８６により、Ｚ軸方向の移動が規制された状態で光軸ＡＺ周りに回転可能に支持されている。フォーカスリング８９の回転角度および回転方向は、フォーカスリング角度検出部９０により検出可能である。例えば、このフォーカスリング角度検出部９０は、２つのフォトセンサ（図示せず）を有している。フォーカスリング８９は、回転方向に等間隔で配置され半径方向内側に突出する複数の突起８９ａを有している。各フォトセンサは、発光部（図示せず）および受光部（図示せず）を有しており、発光部および受光部の間を複数の突起８９ａが通過することで、フォーカスリング８９の回転角度および回転方向を検出することができる。なお、フォーカスリング８９は、例えば可動式のレバーのような他の構造を有していてもよい。
【００２４】
（３）フォーカス調節ユニット
フォーカス調節ユニット７２は、フォーカスモータ６４と、フォーカス駆動制御部４１と、フォトセンサ６７（位置センサの一例）と、を有している。フォーカスモータ６４は、第２ホルダー５５に固定されており、第２レンズ群ユニット７７に対してフォーカスレンズユニット７５をＺ軸方向に駆動する。第２レンズ群ユニット７７に対するフォーカスレンズユニット７５の駆動は、フォーカスモータ６４のみにより行われる。言い換えると、フォーカスモータ６４がフォーカスレンズユニット７５を駆動していない状態（例えば、フォーカスモータ６４に電力が供給されていない状態）では、第２レンズ群ユニット７７に対してフォーカスレンズユニット７５を移動させることはできない。この場合、フォーカスレンズユニット７５は第２ホルダー５５と一体でＺ軸方向に移動する。
【００２５】
フォーカスモータ６４のリードスクリュ６４ａは、フォーカス駆動制御部４１から入力された駆動信号に基づいて回転する。フォーカスモータ６４で発生した回転運動は、リードスクリュ６４ａおよびラック６６によりフォーカスレンズユニット７５のＺ軸方向の直進運動に変換される。これにより、第２レンズ群ユニット７７に対してフォーカスレンズユニット７５がＺ軸方向に移動可能となる。
このデジタルカメラ１では、被写体距離を実質的に一定に保ちつつ焦点距離を変更できるズームレンズ系を実現するために、レンズマイコン４０に予め記憶されているトラッキングテーブルに基づいてフォーカス調節ユニット７２によりフォーカスレンズユニット７５が駆動される。ここでは、このようなトラッキング方式を電子トラッキングと呼ぶ。
トラッキングテーブルとは、焦点距離が変化しても焦点が合う被写体距離が実質的に一定に保たれるフォーカスレンズユニット７５の位置（より詳細には、第２レンズ群ユニット７７に対するフォーカスレンズユニット７５の位置）を示す情報である。被写体距離が実質的に一定とは、被写体距離の変化量が所定の被写界深度内に収まることを意味している。電子トラッキングについては後述する。
【００２６】
また、第２ホルダー５５には、フォーカスレンズユニット７５の原点位置を検出するフォトセンサ６７が搭載されている。このフォトセンサ６７は発光部（図示せず）と受光部（図示せず）とを有している。発光部と受光部との間を第３レンズ群支持枠５６の突起５６ｄが通過すると、フォトセンサ６７は突起５６ｄの有無を検出できる。つまり、フォトセンサ６７により、第２レンズ群ユニット７７に対するフォーカスレンズユニット７５の原点位置を検出することが可能となる。言い換えれば、フォトセンサ６７は、第２レンズ群Ｇ２に対する第３レンズ群Ｇ３の原点位置を検出する原点検出器である。レンズマイコン４０は、第３レンズ群Ｇ３を原点位置に駆動し、フォトセンサ６７からの信号によりフォーカスレンズユニット７５（第３レンズ群Ｇ３）が原点位置にあることを認識する。
フォトセンサ６７により検出できる原点位置は第２レンズ群ユニット７７に対して移動することがない絶対位置である。このため、フォーカスレンズユニット７５の位置を第２レンズ群ユニット７７に対して原点位置にリセットする際には、フォトセンサ６７により原点検出用の突起５６ｄが検出される位置までフォーカスレンズユニット７５を駆動する。例えば、デジタルカメラ１の電源スイッチ２５をオフにすると、フォーカスレンズユニット７５の現在位置に関わらず、第３レンズ群支持枠５６の突起５６ｄがフォトセンサ６７に検出される位置までフォーカスレンズユニット７５がフォーカスモータ６４により駆動される。フォーカスレンズユニット７５の駆動完了後、デジタルカメラ１の電源がオフになる。逆に、デジタルカメラ１の電源スイッチ２５をオンにすると、フォーカスモータ６４によりフォーカスレンズユニット７５がトラッキングテーブルに基づいて求められた所定の位置まで駆動される。なお、原点検出器は、フォトセンサに限られず、例えば、マグネットおよび磁気センサを組み合わせることで実現されてもよい。
【００２７】
（４）絞り調節ユニット
絞り調節ユニット７３は、第２支持枠５８に固定された絞りユニット６２と、絞りユニット６２を駆動する絞り駆動モータ（図示せず）と、絞り駆動モータを制御する絞り駆動制御部４２と、を有している。絞り駆動モータは、例えばステッピングモータである。絞り駆動モータは、絞り駆動制御部４２から入力される駆動信号に基づいて駆動される。絞り駆動モータで発生した駆動力により、絞り羽根６２ａが開方向および閉方向に駆動される。絞り羽根６２ａを駆動することで光学系Ｌの絞り値を変更することができる。
（５）振れ補正ユニット
振れ補正ユニット７４は、交換レンズユニット２およびカメラ本体３の動きに起因する光学像の振れを抑制するためのユニットであり、電磁アクチュエータ４６と、位置検出センサ４７と、振れ補正用マイコン４８と、を有している。
【００２８】
電磁アクチュエータ４６は第１支持枠５７を光軸ＡＺに直交する方向に駆動する。具体的には、電磁アクチュエータ４６は、例えばマグネット（図示せず）とコイル（図示せず）とを有している。例えば、コイルは第１支持枠５７に設けられており、マグネットは第２支持枠５８に固定されている。
位置検出センサ４７は、第２支持枠５８に対する第１支持枠５７の位置を検出するためのセンサであり、例えばホール素子である。交換レンズユニット２には、ジャイロセンサなどの動き検出センサ（図示せず）が搭載されている。振れ補正用マイコン４８は、位置検出センサ４７の検出結果および動き検出センサの検出結果に基づいて、電磁アクチュエータ４６を制御する。これにより、デジタルカメラ１の動きに起因する被写体像の振れを抑制することができる。
【００２９】
なお、被写体像の振れを抑制する方法として、撮像センサ１１から出力される画像データに基づいて画像に表れる振れを補正する電子式振れ補正を適用してもよい。また、光学像の振れを抑制する方法として、撮像センサ１１を光軸ＡＺと直交する２方向に駆動するセンサシフト方式を適用してもよい。
（６）レンズマイコン
レンズマイコン４０は、ＣＰＵ（図示せず）、ＲＯＭ（図示せず）およびメモリ４０ａを有しており、ＲＯＭに格納されているプログラムがＣＰＵに読み込まれることで、様々な機能を実現し得る。例えば、レンズマイコン４０は、フォトセンサ６７の検出信号によりフォーカスレンズユニット７５が原点位置にあることを認識することができる。
メモリ４０ａは、不揮発性メモリであり、電力供給が停止している状態でも記憶している情報を保持できる。メモリ４０ａには、例えば交換レンズユニット２に関する情報（レンズ情報）やズームレンズ系を実現するためのトラッキングテーブル（後述）が格納されている。レンズマイコン４０は、このトラッキングテーブルに基づいてフォーカスモータ６４を制御し、フォーカスモータ６４によりフォーカスレンズユニット７５がＺ軸方向に駆動される。以下、トラッキングテーブルに基づいてフォーカスレンズユニット７５の位置を焦点距離の変化に追従させる動作を、電子トラッキングという。
【００３０】
レンズマイコン４０は、フォーカスモータ６４のパルス数をカウントするためのカウンタ４０ｂを有している。カウンタ４０ｂは、フォーカスレンズユニット７５をＺ軸方向正側に駆動した場合、カウントを「＋１」とし、フォーカスレンズユニット７５をＺ軸方向負側に駆動した場合、カウントを「−１」とする。このように、カウンタ４０ｂでフォーカスモータ６４の駆動パルス数をカウントすることで、レンズマイコン４０は、第２レンズ群Ｇ２に対する第３レンズ群Ｇ３の相対位置（第２レンズ群ユニット７７に対するフォーカスレンズユニット７５の位置）を把握することができる。
例えば、フォーカスモータ６４のリードスクリュ６４ａの１回転当たり、ラック６６が０．６ｍｍだけＺ軸方向に駆動される。マグネット（図示せず）が１０極であるフォーカスモータ６４を１−２相励磁にて駆動する場合、１パルス当たり、０．６／２０／２＝０．０１５ｍｍ（１５μｍ）だけラック６６がＺ軸方向に駆動される。マイクロステップ駆動時には、さらに細かい単位でラック６６を駆動できる。ステッピングモータを用いることで、細かい単位でフォーカスレンズユニット７５を駆動することができ、例えば反転駆動時のバックラッシュを小さくすることができる。つまり、フォーカスモータ６４としてステッピングモータを選定することで、高精度なフォーカス調節を実現できる。また、駆動パルス数をカウントすることで、第２レンズ群ユニット７７に対するフォーカスレンズユニット７５の現在位置を把握でき、さらにフォーカスレンズユニット７５の駆動量を算出することができる。
【００３１】
＜カメラ本体＞
図１〜図４（Ｂ）を用いてカメラ本体３の概略構成について説明する。図１〜図４（Ｂ）に示すように、カメラ本体３は、筐体３ａと、ボディーマウント４と、操作ユニット３９と、画像取得部３５と、画像表示部３６と、ファインダ部３８と、ボディーマイコン１０（駆動制御部の一例、予備動作検知部の一例）と、バッテリー２２（主電源の一例）と、を有している。
（１）筐体
筐体３ａは、カメラ本体３の外装部を構成している。図４（Ａ）および図４（Ｂ）に示すように、筐体３ａの前面には、ボディーマウント４が設けられており、筐体３ａの背面および上面には、操作ユニット３９が設けられている。具体的には、筐体３ａの背面には、表示部２０と、電源スイッチ２５と、モード切り換えダイヤル２６と、十字操作キー２７と、メニュー設定ボタン２８と、設定ボタン２９と、モード切り換えボタン３４と、動画撮影操作ボタン２４が設けられている。筐体３ａの上面には、シャッターボタン３０が設けられている。
【００３２】
（２）ボディーマウント
ボディーマウント４は、交換レンズユニット２のレンズマウント９５が装着される部分であり、レンズ側接点９１と電気的に接続可能なボディー側接点（図示せず）を有している。ボディーマウント４およびレンズマウント９５を介して、カメラ本体３は交換レンズユニット２とデータの送受信が可能である。例えば、ボディーマイコン１０（後述）は、ボディーマウント４およびレンズマウント９５を介して露光同期信号などの制御信号をレンズマイコン４０に送信する。
（３）操作ユニット
図４（Ａ）および図４（Ｂ）に示すように、操作ユニット３９は、ユーザーが操作情報を入力するための各種操作部材を有している。例えば、電源スイッチ２５は、デジタルカメラ１あるいはカメラ本体３の電源の入切を行うためのスイッチである。電源スイッチ２５により電源がオン状態になると、カメラ本体３および交換レンズユニット２の各部に電源が供給される。
【００３３】
モード切り換えダイヤル２６は、静止画撮影モード、動画撮影モードおよび再生モード等の動作モードを切り換えるためのダイヤルであり、ユーザーはモード切り換えダイヤル２６を回転させて動作モードを切り換えることができる。モード切り換えダイヤル２６により静止画撮影モードが選択されると、動作モードを静止画撮影モードへ切り換えることができ、モード切り換えダイヤル２６により動画撮影モードが選択されると、動作モードを動画撮影モードへ切り換えることができる。動画撮影モードでは、基本的に動画撮影が可能となる。さらに、モード切り換えダイヤル２６により再生モードが選択されると、動作モードを再生モードへ切り換えることができ、表示部２０に撮影画像を表示させることができる。
十字操作キー２７は、ユーザーが上下左右の方向を選択できるボタンである。十字操作キー２７を用いて、例えば表示部２０に表示された各種メニュー画面から所望のメニューを選択することができる。
【００３４】
メニュー設定ボタン２８はデジタルカメラ１の各種動作を設定するためのボタンである。設定ボタン２９は各種メニューの実行を確定するためのボタンである。
動画撮影操作ボタン２４は、動画撮影の開始および停止を指示するためのボタンである。モード切り換えダイヤル２６において選択された動作モードが静止画撮影モードまたは再生モードであっても、この動画撮影操作ボタン２４を押すことにより、モード切り換えダイヤル２６での設定内容に関係なく、強制的に動作モードが動画撮影モードに移行し、動画撮影が開始される。さらに、動画撮影中に、この動画撮影操作ボタン２４が押されると、動画撮影が終了し、モード切り換えダイヤル２６において選択された動作モード、すなわち動画撮影開始前の動作モードへと移行する。例えば、動画撮影操作ボタン２４が押される際にモード切り換えダイヤル２６により静止画撮影モードが選択されている場合は、動画撮影操作ボタン２４が再度押された後に動作モードが自動的に静止画撮影モードへと移行する。
【００３５】
シャッターボタン３０は、撮影の際にユーザーによって操作される。シャッターボタン３０が操作されると、タイミング信号がボディーマイコン１０に出力される。シャッターボタン３０は、半押し操作と全押し操作が可能な２段式のスイッチである。ユーザーが半押し操作すると測光処理および測距処理を開始する。シャッターボタン３０を半押しの状態でユーザーがシャッターボタン３０を全押し操作すると、タイミング信号が出力され、画像取得部３５で画像データが取得される。
さらに、図２に示すように、カメラ本体３の前面には、交換レンズユニット２をカメラ本体３から取り外すためのレンズ取り外しボタン９９（レンズ取り外し操作部の一例、予備動作検知部の一例）が設けられている。レンズ取り外しボタン９９は、例えばユーザーに押されるとオン状態になる接点（図示せず）を有しており、ボディーマイコン１０と電気的に接続されている。レンズ取り外しボタン９９が押されると、内蔵されている接点がオンになり、ボディーマイコン１０はレンズ取り外しボタン９９が押されたことを認識することができる。
【００３６】
（４）画像取得部
画像取得部３５は主に、光電変換を行うＣＣＤ（Charge Coupled Device）などの撮像センサ１１（撮像素子の一例）と、撮像センサ１１の露光状態を調節するシャッターユニット３３と、ボディーマイコン１０からの制御信号に基づいてシャッターユニット３３の駆動を制御するシャッター制御部３１と、撮像センサ１１の動作を制御する撮像センサ駆動制御部１２と、を有している。
撮像センサ１１は、光学系Ｌにより形成される光学的な像を電気的な信号に変換する、例えばＣＣＤ（Charge Coupled Device）センサである。撮像センサ１１は、撮像センサ駆動制御部１２により発生されるタイミング信号により駆動制御される。なお、撮像センサ１１はＣＭＯＳ（Complementary Metal Oxide Semiconductor）センサでもよい。
【００３７】
シャッター制御部３１は、タイミング信号を受信したボディーマイコン１０から出力される制御信号にしたがって、シャッター駆動アクチュエータ３２を駆動し、シャッターユニット３３を動作させる。
なお、本実施形態では、オートフォーカス方式として、撮像センサ１１で生成された画像データを利用するコントラスト検出方式が採用されている。コントラスト検出方式を用いることにより、高精度なフォーカス調節を実現することができる。
（５）ボディーマイコン
ボディーマイコン１０は、カメラ本体３の中枢を司る制御装置であり、操作ユニット３９に入力された操作情報に応じて、デジタルカメラ１の各部を制御する。具体的には、ボディーマイコン１０にはＣＰＵ、ＲＯＭ、ＲＡＭが搭載されており、ＲＯＭに格納されたプログラムがＣＰＵに読み込まれることで、ボディーマイコン１０は様々な機能を実現することができる。例えば、ボディーマイコン１０は、交換レンズユニット２がカメラ本体３に装着されたことを検知する機能、あるいは交換レンズユニット２から焦点距離情報などのデジタルカメラ１を制御する上で必要な情報を取得する機能を有している。
【００３８】
ボディーマイコン１０は、電源スイッチ２５、シャッターボタン３０、モード切り換えダイヤル２６、十字操作キー２７、メニュー設定ボタン２８および設定ボタン２９の信号を、それぞれ受信可能である。また、ボディーマイコン１０内のメモリ１０ａには、カメラ本体３に関する各種情報が格納されている。メモリ１０ａは、不揮発性メモリであり、電力供給が停止している状態でも記憶している情報を保持できる。
また、ボディーマイコン１０は、垂直同期信号を定期的に生成し、垂直同期信号の生成と並行して、垂直同期信号に基づいて露光同期信号を生成する。ボディーマイコン１０が垂直同期信号を基準とした露光開始タイミングおよび露光終了タイミングを予め把握しているために、ボディーマイコン１０は露光同期信号を生成できる。ボディーマイコン１０は、垂直同期信号をタイミング発生器（図示省略）に出力し、露光同期信号をボディーマウント４およびレンズマウント９５を介してレンズマイコン４０に一定の周期で出力する。レンズマイコン４０は、露光同期信号に同期して、フォーカスレンズユニット７５の位置情報を取得する。
【００３９】
撮像センサ駆動制御部１２は、垂直同期信号に基づいて、撮像センサ１１の読み出し信号と電子シャッター駆動信号とを一定の周期で生成する。撮像センサ駆動制御部１２は、読み出し信号および電子シャッター駆動信号に基づいて、撮像センサ１１を駆動する。すなわち、撮像センサ１１は、読み出し信号に応じて、撮像センサ１１内に多数存在する光電変換素子（図示せず）で生成された画素データを垂直転送部（図示せず）に読み出す。
また、ボディーマイコン１０は、レンズマイコン４０を介してフォーカス調節ユニット７２（後述）を制御する。
撮像センサ１１から出力された画像信号は、アナログ信号処理部１３から、Ａ／Ｄ変換部１４、デジタル信号処理部１５、バッファメモリ１６および画像圧縮部１７へと、順次送られて処理される。アナログ信号処理部１３は、撮像センサ１１から出力される画像信号にガンマ処理等のアナログ信号処理を施す。Ａ／Ｄ変換部１４は、アナログ信号処理部１３から出力されたアナログ信号をデジタル信号に変換する。デジタル信号処理部１５は、Ａ／Ｄ変換部１４によりデジタル信号に変換された画像信号に対してノイズ除去や輪郭強調等のデジタル信号処理を施す。バッファメモリ１６は、ＲＡＭ（Random Access Memory）であり、画像信号を一旦記憶する。バッファメモリ１６に記憶された画像信号は、画像圧縮部１７から画像記録部１８へと、順次送られて処理される。バッファメモリ１６に記憶された画像信号は、画像記録制御部１９の命令により読み出されて、画像圧縮部１７に送信される。画像圧縮部１７に送信された画像信号のデータは、画像記録制御部１９の命令に従って画像信号に圧縮処理される。画像信号は、この圧縮処理により、元のデータより小さなデータサイズになる。画像信号の圧縮方法として、例えば１フレームの画像信号毎に圧縮するＪＰＥＧ（Joint Photographic Experts Group）方式が用いられる。その後、圧縮された画像信号は、画像記録制御部１９により画像記録部１８に記録される。ここで、動画を記録する場合、複数の画像信号をそれぞれ１フレームの画像信号毎に圧縮するＪＰＥＧ方式を用いることもでき、また、複数のフレームの画像信号をまとめて圧縮するＨ．２６４／ＡＶＣ方式を用いることもできる。
【００４０】
画像記録部１８は、画像記録制御部１９の命令に基づいて、画像信号と記録すべき所定の情報とを関連付けて静止画ファイルまたは動画ファイルを作成する。そして、画像記録部１８は、画像記録制御部１９の命令に基づいて、静止画ファイルまたは動画ファイルを記録する。画像記録部１８は、例えば内部メモリおよび／または着脱可能なリムーバブルメモリである。なお、画像信号とともに記録すべき所定の情報には、画像を撮影した際の日時と、焦点距離情報と、シャッタースピード情報と、絞り値情報と、撮影モード情報とが含まれる。静止画ファイルは、例えばＥｘｉｆ（登録商標）形式やＥｘｉｆ（登録商標）形式に類する形式である。また、動画ファイルは、例えばＨ．２６４／ＡＶＣ形式やＨ．２６４／ＡＶＣ形式に類する形式である。
（６）画像表示部
画像表示部３６は、表示部２０と、画像表示制御部２１と、を有している。表示部２０は例えば液晶モニタである。表示部２０は、画像表示制御部２１からの命令に基づいて、画像記録部１８あるいはバッファメモリ１６に記録された画像信号を可視画像として表示する。表示部２０での表示形態としては、画像信号のみを可視画像として表示する表示形態や、画像信号と撮影時の情報とを可視画像として表示する表示形態が考えられる。
【００４１】
（７）ファインダ部
ファインダ部３８は、撮像センサ１１により取得された画像を表示する液晶ファインダ８と、筐体３ａの背面に設けられたファインダ接眼窓９と、を有している。ユーザーは、ファインダ接眼窓９を覗くことで液晶ファインダ８に表示された画像を視認することができる。
（８）バッテリー
バッテリー２２は、カメラ本体３の各部に電力を供給し、さらにレンズマウント９５を介して交換レンズユニット２に電力を供給する。本実施形態ではバッテリー２２は充電池である。なお、バッテリー２２は、乾電池でもよいし、電源コードにより外部から電力供給が行われる外部電源であってもよい。
【００４２】
＜トラッキングテーブル＞
デジタルカメラ１では、被写体距離を実質的に一定に保ちつつ焦点距離が変更できるようにするために、フォーカス調節ユニット７２により電子トラッキングが行われる。具体的には図１４に示すように、電子トラッキングを行うために、トラッキングテーブル１００がメモリ４０ａに格納されている。このトラッキングテーブル１００は、ズームリング８４の回転位置とフォーカスレンズユニット７５の第２レンズ群ユニット７７に対するＺ軸方向の位置との関係を示している。例えば、被写体距離が０．３ｍ、１．０ｍおよび無限遠（∞）に対応する３つのトラッキングテーブル１００がメモリ４０ａに格納されている。
トラッキングテーブル１００は、ズームリング８４の回転位置およびフォーカスレンズユニット７５のＺ軸方向の位置がいくつかに分割された離散的な情報である。一般的には、分割数は、ズームリング８４を回転させても被写体距離が所定の被写界深度内に納まるように決定されている。
【００４３】
ズームリング８４の回転位置（回転方向の位置）はリニアポジションセンサ８７により検出することができる。この検出結果およびトラッキングテーブル１００に基づいて、レンズマイコン４０は、第２レンズ群ユニット７７に対するフォーカスレンズユニット７５のＺ軸方向の位置を決定することができる。
第２レンズ群ユニット７７に対するフォーカスレンズユニット７５の原点位置Ｄはフォトセンサ６７により検出され、図１４では一点鎖線で示されている。本実施形態では、原点位置Ｄは、無限遠のトラッキングテーブル１００におけるフォーカスレンズユニット７５の移動範囲（位置Ｅ１および位置Ｅ２の間）の中央付近に位置している。このように、原点位置Ｄを中央付近に配置することにより、デジタルカメラ１の電源オン時に、いずれの位置にも比較的素早くフォーカスレンズユニット７５を移動させることができる。
【００４４】
なお、無限遠のトラッキングテーブル１００を基準に原点位置Ｄを決定しているのは、ユーザーがデジタルカメラ１の電源を入れて被写体を撮影する際に、無限遠の位置にある被写体を撮影する確率が高いためである。
また、トラッキングテーブル１００は、いくつかに分割された離散的な情報ではなく多項式で表されてもよい。ズームリング８４の回転位置の代わりに、第１レンズ群Ｇ１、第２レンズ群Ｇ２または第４レンズ群Ｇ４のＺ軸方向の位置情報を用いてもよい。第２レンズ群ユニット７７に対するフォーカスレンズユニット７５のＺ軸方向の位置とは、第２レンズ群ユニット７７に対する第３レンズ群Ｇ３のＺ軸方向の位置、あるいは、第２レンズ群Ｇ２に対する第３レンズ群Ｇ３のＺ軸方向の位置と言い換えることもできる。
＜各部材間の距離＞
前述のように、フォーカス調節用の第３レンズ群Ｇ３は、電子トラッキングによりＺ軸方向に駆動されるが、カメラ本体３の電源がオフの状態では、フォーカスモータ６４への電力供給が停止するため、フォーカスモータ６４によるフォーカスレンズユニット７５の駆動は行われない。したがって、デジタルカメラ１を使用中に、カメラ本体３からバッテリー２２が取り外されたり、あるいはカメラ本体３から交換レンズユニット２が取り外されたりして交換レンズユニット２の電源がオフの状態になると、その時点でフォーカスモータ６４が停止する。
【００４５】
この状態でズームリング８４が操作されると、部材同士が接触するおそれがある。例えば、フォーカスレンズユニット７５と第４レンズ群ユニット７８が接触すると、第３レンズ群支持枠５６に取り付けられているラック６６が、フォーカスモータ６４のリードスクリュ６４ａから脱落したり、あるいはラック６６が破損したりする。
しかし、このデジタルカメラ１では、電源オフの状態でズームリング８４が操作されても、部材同士が接触しないように、フォーカスレンズユニット７５および第４レンズ群ユニット７８の位置が決められている。
ここで、各部の位置関係について説明する。図１４はフォーカス調節ユニット７２のトラッキングテーブルを示している。トラッキングテーブルとは、焦点距離が変化しても焦点が合う被写体距離が実質的に一定となるフォーカスレンズユニット７５の位置を示す情報である。図１５は広角端での交換レンズユニット２の断面図（図１２（Ａ）に対応）である。図１６は望遠端での交換レンズユニット２の断面図（図１２（Ｂ）に対応）である。図１２（Ａ）、図１２（Ｂ）、図１５および図１６では、被写体距離が無限遠となる位置に第３レンズ群Ｇ３が配置されている状態を示している。
【００４６】
図１２（Ａ）および図１２（Ｂ）に示すように、撮像センサ１１の受光面１１ａから第２レンズ群Ｇ２の後面（より詳細には第５レンズＬ５の後面Ｌ５ｂ）までの距離をＬ２Ｂ（ｘ）、受光面１１ａから第３レンズ群支持枠５６の後面（より詳細には、第３レンズ群支持枠５６の支持部５６ｅ（図１５および図１６参照）の後面）までの距離をＬ３Ｂ（ｘ）、受光面１１ａから第１支持枠５７の前面（より詳細には、第１支持枠５７の環状部５７ａ（図１５および図１６参照）の前面）までの距離をＬ４Ｆ（ｘ）とする。距離Ｌ２Ｂ（ｘ）と距離Ｌ３Ｂ（ｘ）との間の距離をＬ２Ｂ−Ｌ３Ｂ（ｘ）とし、その最大値をＬｍａｘ＝Ｌ２Ｂ−Ｌ３Ｂ（ｍａｘ．）とする。「ｘ」はズームリング８４の回転位置（ズーム位置）を表す変数である。この場合、各ズーム位置における距離Ｌ２Ｂ（ｘ）−Ｌｍａｘは点線Ｍで示すことができる。この点線Ｍは第３レンズ群Ｇ３が最も第４レンズ群Ｇ４側に位置する状態を意味している。この点線Ｍと線Ｌ４Ｆ（ｘ）とが接触することは、第３レンズ群Ｇ３と第４レンズ群Ｇ４とが接触することを意味している。なお、本実施形態では、Ｌｍａｘ＝Ｌ２Ｂ−Ｌ３Ｂ（Ｔｅｌｅ）となっている。
【００４７】
このデジタルカメラ１では、以下の式（１）を満たすように、光学系Ｌおよび各レンズ支持枠の配置が決定されている。
（数１）
Ｌ２Ｂ（ｘ）−｛Ｌ２Ｂ−Ｌ３Ｂ（Ｍａｘ．）｝＞Ｌ４Ｆ（ｘ）
このデジタルカメラ１では、この式（１）を満たすため、フォーカスレンズユニット７５と第４レンズ群ユニット７８とのＺ軸方向間には常に隙間が確保されている。例えば、図１３に示すように、ズームリング８４の回転位置が位置Ａ１のときに、フォーカスレンズユニット７５が第４レンズ群ユニット７８に最も接近するが、この状態でもフォーカスレンズユニット７５と第４レンズ群ユニット７８との間には隙間が確保されている。言い換えると、第２レンズ群ユニット７７とフォーカスレンズユニット７５との間のＺ軸方向の距離が最大である状態でズームリング８４が操作された場合に、フォーカスレンズユニット７５と第４レンズ群ユニット７８との間には常に隙間が確保されている。このため、フォーカスモータ６４に電力が供給されていない状態でズームリング８４が操作されても、フォーカスレンズユニット７５が第４レンズ群ユニット７８に接触することがない。これにより、このデジタルカメラ１では部材の破損を防止できる。
【００４８】
＜デジタルカメラの動作＞
デジタルカメラ１の動作について説明する。
（１）撮影モード
このデジタルカメラ１は、２つの撮影モードを有している。具体的には、デジタルカメラ１は、ユーザーがファインダ接眼窓９で被写体を観察するファインダ撮影モードと、ユーザーが表示部２０で被写体を観察するモニタ撮影モードと、を有している。
ファインダ撮影モードでは、例えば画像表示制御部２１が液晶ファインダ８を駆動する。この結果、液晶ファインダ８には、撮像センサ１１により取得された被写体の画像（いわゆるスルー画像）が表示される。
モニタ撮影モードでは、例えば画像表示制御部２１により表示部２０が駆動され、表示部２０に被写体の実時間画像が表示される。この２つの撮影モードの切り換えは、撮影モード切り換えボタン３４にて行うことができる。
【００４９】
（２）ズーム動作
次に、ユーザーがズーム操作を行う際の交換レンズユニット２の動作を説明する。
ユーザーによりズームリング８４が回転操作されると、ズームリング８４とともにカム筒５１が回転する。カム筒５１が光軸ＡＺ周りに回転すると、第１ホルダー５２は、カム筒５１の第１カム溝５１ｄに案内され、Ｚ軸方向に直進する。また、第２ホルダー５５および第４レンズ群支持枠６１も、カム筒５１の第２カム溝５１ｂおよび第３カム溝５１ｃに案内され、Ｚ軸方向に直進する。よって、ズームリング８４を回転操作することにより、交換レンズユニット２の状態を、図５および図６に示す広角端の状態から図７および図８に示す望遠端の状態まで変化させることができる。これにより、ズームリング８４の回転位置を調節することで、所望のズーム位置にて被写体を撮影することが可能となる。
【００５０】
このとき、ズームリング８４の回転操作により第２ホルダー５５はＺ軸方向に機械的に駆動されるが、フォーカスレンズユニット７５のみは、被写体距離が実質的に一定に保たれるように、メモリ４０ａに予め記憶されたトラッキングテーブル１００に基づき、フォーカス調節ユニット７２により電気的に駆動制御される。例えば、トラッキングテーブル１００に基づいてフォーカスモータ６４によりフォーカスレンズユニット７５を駆動することで、広角端から望遠端に移動した場合や望遠端から広角端に移動した場合も、無限遠にて合焦した状態を維持する。
より詳細には、ズームリング８４が回転操作されると、第１レンズ群Ｇ１、第２レンズ群Ｇ２、第３レンズ群Ｇ３および第４レンズ群Ｇ４が光軸ＡＺに沿ってＺ軸方向に移動する。これにより、被写体像の倍率が変化する。このとき、第３レンズ群Ｇ３も第３レンズ群支持枠５６を介して第２ホルダー５５に支持された状態で光軸ＡＺに沿ってＺ軸方向に移動する。第１レンズ群Ｇ１、第２レンズ群Ｇ２、第３レンズ群Ｇ３および第４レンズ群Ｇ４の相対的な位置関係が変化すると、撮像センサ１１上に結像する被写体像のフォーカス状態も変化する。つまり、撮像センサ１１上に焦点を結んでいる被写体距離が変化する。
【００５１】
そこで、このデジタルカメラ１では、ズームリング８４の回転位置に応じてフォーカスモータ６４を駆動することで、焦点距離が変化しても被写体距離を実質的に一定に保つことができる。具体的には、フォーカスモータ６４のみを用いて、第３レンズ群Ｇ３を含むフォーカスレンズユニット７５を第２レンズ群ユニット７７に対して移動させる。レンズマイコン４０は、リニアポジションセンサ８７の検出信号に基づいて現在のズームリング８４の回転位置を取得する。それと同時に、レンズマイコン４０は、第２レンズ群ユニット７７に対するフォーカスレンズユニット７５の位置を、カウンタ４０ｂでのカウント値から算出する。これら２つの情報（現在のズームリング８４の回転位置、第２レンズ群ユニット７７に対するフォーカスレンズユニット７５の位置）から、図１４に示す複数のトラッキングテーブル１００を利用して、レンズマイコン４０は、現在の被写体距離を求め、求められた被写体距離に対応するトラッキングテーブル１００を選択する。ここでは、無限遠に対応するトラッキングテーブル１００が選択されたとする。
【００５２】
次に、レンズマイコン４０は、ズームリング８４の回転位置を再度取得し、ズームリング８４の回転位置の変化量からズームリング８４の回転速度、すなわち焦点距離の変化速度を求める。
続いて、レンズマイコン４０は、ズームリング８４の現在の回転角度とズームリング８４の回転速度とから、所定時間経過後のズームリング８４の回転位置を予測し、選択されたトラッキングテーブル１００に基づいて、予測したズームリング８４の回転位置に対応するフォーカスレンズユニット７５のＺ軸方向の位置を目標位置として求める。所定時間経過後にフォーカスレンズユニット７５がこの目標位置に位置するように、レンズマイコン４０はフォーカス駆動制御部４１を介してフォーカスモータ６４を駆動する。これにより、フォーカスレンズユニット７５が他のレンズ群の移動に追従するように駆動され、被写体距離が一定に保たれる。
【００５３】
このように電子トラッキング動作においては、レンズマイコン４０は、変倍動作に伴う焦点距離の変化を予測して、予測された焦点距離に対応するフォーカスレンズユニット７５の目標位置をトラッキングテーブル１００から取得する。光学系Ｌの変倍動作と並行して、フォーカスモータ６４によりフォーカスレンズユニット７５が目標位置へ駆動される。この動作を所定の時間間隔で実行するため、ズームリング８４が回転操作されて光学系Ｌの焦点距離が変化しても、フォーカスレンズユニット７５がトラッキングテーブル１００に基づいて焦点距離に応じたＺ軸方向位置に移動し、焦点距離の変化にフォーカスレンズユニット７５の駆動を追従させることができる。これにより、焦点距離が変化に関わらず被写体距離を実質的に一定に保つことができる。なお、これらの制御は、レンズマイコン４０ではなく、ボディーマイコン１０が行ってもよい。
【００５４】
同様に、例えば焦点が合う被写体距離が１ｍなどの近距離である場合、被写体距離が１ｍであるトラッキングテーブル１００が選択され、広角端から望遠端に移動した場合あるいは望遠端から広角端に移動した場合も、フォーカスモータ６４の駆動により、近距離にて合焦した状態を維持することができ、スムーズな変倍動作を行うことが可能となる。
とりわけ、フォーカスレンズユニット７５およびフォーカスモータ６４が第２レンズ群ユニット７７と一体でＺ軸方向に移動するようになっているため、ユーザーによりズームリング８４が素早く操作された場合でも、フォーカスレンズユニット７５を第２レンズ群ユニット７７と一体で移動させることができる。したがって、変倍動作の前後で被写体距離を実質的に一定に保ちたい場合に、フォーカスモータ６４は、撮像センサ１１に対して第３レンズ群Ｇ３が移動すべき距離から撮像センサ１１に対して第２レンズ群Ｇ２がカム機構により移動する距離を差し引いた距離だけ、第３レンズ群Ｇ３を移動させればよい。これにより、ユーザーによるズームリング８４の高速操作への対応が容易となる。
【００５５】
また、本実施形態においては、広角端から望遠端まで変倍動作が行われると、被写体距離が無限遠の状態では、フォーカスレンズユニット７５（より詳細には、フォーカスレンズ群である第３レンズ群Ｇ３）を撮像センサ１１に対して３ｍｍ程度、Ｚ軸方向に移動させる必要がある。フォーカスモータ６４を８００ｐｐｓで駆動する場合、先述したようにフォーカスモータ６４の１回転あたりのフォーカスレンズユニット７５の移動量が０．６ｍｍであるため、トラッキングテーブルに基づいてフォーカスレンズユニット７５をＺ軸方向に３ｍｍだけ移動させるために０．２５秒かかる。広角端から望遠端までフォーカスレンズユニット７５を約０．２５秒で移動させることが可能であるため、ユーザーがズームリング８４を広角端から望遠端まで０．５秒で回したとしても、焦点距離の変化にフォーカスレンズユニット７５の駆動を追従させることができる。これにより、例えばライブビューモード時にユーザーが表示部２０で被写体を確認しながら素早い変倍動作を行っても、表示部２０に映し出される被写体像のピンぼけが発生しにくくなり、使い勝手がよくなる。
【００５６】
（３）フォーカス動作
次に、デジタルカメラ１のフォーカス動作について説明する。デジタルカメラ１は、オートフォーカス撮影モードおよびマニュアルフォーカス撮影モードの２つのフォーカスモードを有している。デジタルカメラ１の操作を行うユーザーは、カメラ本体３に設けられたフォーカス撮影モード設定ボタン（図示せず）により、フォーカスモードを選択することができる。
オートフォーカス撮影モード時においては、コントラスト検出方式を用いたオートフォーカス動作が行われる。コントラスト検出方式のオートフォーカス動作を行う際には、ボディーマイコン１０は、レンズマイコン４０に対して、コントラストＡＦ用データを要求する。コントラストＡＦ用データは、コントラスト検出方式のオートフォーカス動作の際に必要なデータであり、例えば、フォーカス駆動速度、フォーカスシフト量、像倍率、コントラストＡＦ可否情報などが含まれる。
【００５７】
ボディーマイコン１０は、シャッターボタン３０が半押しされるかどうかを監視する。シャッターボタン３０が半押しされた場合、ボディーマイコン１０は、レンズマイコン４０に対して、オートフォーカス開始命令を発信する。オートフォーカス開始命令は、コントラスト検出方式によるオートフォーカス動作を開始する旨を示している。この命令を受けて、レンズマイコン４０は、フォーカス用のアクチュエータであるフォーカスモータ６４を駆動制御する。より詳細には、レンズマイコン４０はフォーカス駆動制御部４１へ制御信号を送信する。この制御信号に基づいて、フォーカス駆動制御部４１によりフォーカスモータ６４が駆動され、フォーカスレンズユニット７５が微動する。
ボディーマイコン１０は、受信した画像データに基づいて、オートフォーカス動作用の評価値（以下、ＡＦ評価値という）を算出する。具体的には、ボディーマイコン１０は、デジタル信号処理部１５へ命令を送信する。デジタル信号処理部１５は、受信した命令に基づいて所定のタイミングで画像信号をボディーマイコン１０へ送信する。ボディーマイコン１０は、撮像センサ１１で生成された画像データから輝度信号を求め、輝度信号の画面内における高周波成分を積算して、ＡＦ評価値を求める。算出されたＡＦ評価値は、露光同期信号と関連付けた状態でＤＲＡＭ（図示せず）に保存される。ボディーマイコン１０がレンズマイコン４０から取得したレンズ位置情報も露光同期信号と関連付けられているため、ボディーマイコン１０は、ＡＦ評価値をレンズ位置情報と関連付けて保存することができる。
【００５８】
次に、ボディーマイコン１０は、ＤＲＡＭに保存されたＡＦ評価値に基づいて、ＡＦ評価値が極大値となるフォーカスレンズユニット７５の位置を合焦点として抽出する。合焦点を抽出する際のフォーカスレンズユニット７５の駆動方式としては、一般的には山登り方式が知られている。山登り方式では、ＡＦ評価値が増大する方向へフォーカスレンズユニット７５を移動させ、フォーカスレンズユニット７５の位置ごとのＡＦ評価値を求める。この動作を、ＡＦ評価値の極大値が検出されるまで、すなわち、ＡＦ評価値が増大して一旦ピークに達してから減少し始めるまで続ける。
ボディーマイコン１０は、抽出した合焦点に対応する位置までフォーカスレンズユニット７５が駆動されるように、レンズマイコン４０を介して制御信号をフォーカス駆動制御部４１へ送信する。フォーカス駆動制御部４１は、例えばボディーマイコン１０（または、レンズマイコン４０）からの制御信号に基づいて、フォーカスモータ６４を駆動するための駆動パルスを生成する。この駆動信号に応じた駆動量だけフォーカスモータ６４が駆動され、フォーカスレンズユニット７５が合焦点に対応する位置までＺ軸方向に移動する。
【００５９】
以上のようにして、デジタルカメラ１のオートフォーカス撮影モードによるフォーカシングが行われる。以上の動作は、ユーザーのシャッターボタン３０の半押し操作後、瞬時に実行される。
なお、コントラスト検出方式によるフォーカシングは、撮像センサ１１で実時間の画像データを生成できるモニタ撮影モード（いわゆる、ライブビューモード）で動作し得る。なぜなら、ライブビューモードでは、定常的に、撮像センサ１１で画像データを生成しており、その画像データを用いたコントラスト検出方式のオートフォーカス動作をするのが容易だからである。
ライブビューモードでは、被写体の実時間画像が表示部２０に表示されるので、ユーザーは、表示部２０を見ながら静止画あるいは動画を撮るための構図を決めることができる。また、表示部２０を用いてライブビューモードの他に、ユーザーが選択できる撮影モードとしては、交換レンズユニット２からの被写体像を液晶ファインダ８（ファインダ部３８）に導く第２のライブビューモード（ファインダ撮影モード）もある。
【００６０】
次に、マニュアルフォーカス撮影モードについて説明する。
ユーザーによりフォーカスリング８９が回転操作されると、フォーカスリング角度検出部９０は、フォーカスリング８９の回転角度を検出し、その回転角度に応じた信号を出力する。フォーカス駆動制御部４１は、フォーカスリング角度検出部９０から信号を受信可能であり、フォーカスモータ６４へ信号を送信可能である。フォーカス駆動制御部４１は、判断した結果をレンズマイコン４０へ送信する。フォーカス駆動制御部４１は、レンズマイコン４０からの制御信号に基づいてフォーカスモータ６４を駆動する。より詳細には、レンズマイコン４０は、フォーカスリング回転角度信に基づいて、フォーカスモータ６４を駆動する駆動信号を生成する。駆動信号によりフォーカスモータ６４のリードスクリュ６４ａが回転すると、リードスクリュ６４ａと噛み合うラック６６を介してフォーカスレンズユニット７５がＺ軸方向に移動する。図５および図６に示す広角端の状態では、被写体距離は無限遠であるが、被写体距離が近くなるにしたがって、フォーカスレンズユニット７５は、Ｚ軸方向正側へ移動する。同様に、図７および図８に示す望遠端の状態では、被写体距離は無限遠であるが、被写体距離が短くなるにしたがって、フォーカスレンズユニット７５は、Ｚ軸方向正側に移動する。広角端の場合に比べ、この場合のフォーカスレンズユニット７５の移動量は多くなる。
【００６１】
以上のようにして、ユーザーは、表示部２０において被写体を確認しながらフォーカスリング８９を回転してフォーカシングを行うことができる。マニュアルフォーカス撮影モードにおいて、ユーザーがシャッターボタン３０を全押しすると、その状態のまま撮影が行われる。
（４）静止画撮影
ユーザーによりシャッターボタン３０が全押しされると、撮像センサ１１の測光出力に基づいて計算された絞り値に光学系Ｌの絞り値が設定されるように、ボディーマイコン１０からレンズマイコン４０へ命令が送信される。そして、レンズマイコン４０により絞り駆動制御部４２が制御され、指示された絞り値まで絞りユニット６２を絞り込む。絞り値の指示と同時に、撮像センサ駆動制御部１２から撮像センサ１１へ駆動命令が送信され、シャッターユニット３３の駆動命令が送信される。撮像センサ１１の測光出力に基づいて計算されたシャッタースピードの時間だけ、シャッターユニット３３により撮像センサ１１が露光される。
【００６２】
ボディーマイコン１０は、撮影処理を実行し、撮影が終了すると、画像記録制御部１９に制御信号を送信する。画像記録部１８は、画像記録制御部１９の命令に基づいて、画像信号を内部メモリおよび／またはリムーバブルメモリに記録する。画像記録部１８は、画像記録制御部１９の命令に基づいて、画像信号とともに撮影モードの情報（オートフォーカス撮影モードかマニュアルフォーカス撮影モードか）を、内部メモリおよび／またはリムーバブルメモリに記録する。
さらに、露光完了後、撮像センサ駆動制御部１２は、撮像センサ１１から画像データを読み出し、所定の画像処理後、ボディーマイコン１０を介して画像表示制御部２１へ画像データが出力される。これにより、表示部２０へ撮影画像が表示される。
また、露光終了後、ボディーマイコン１０により、シャッターユニット３３が初期位置にリセットされる。また、ボディーマイコン１０からレンズマイコン４０へ絞りユニット６２を開放位置にリセットするよう絞り駆動制御部４２に命令が下され、レンズマイコン４０から各ユニットへリセット命令が下される。リセット完了後、レンズマイコン４０は、ボディーマイコン１０にリセット完了を伝える。ボディーマイコン１０は、レンズマイコン４０からリセット完了情報を受信した後であって、かつ、露光後の一連の処理が完了した後に、シャッターボタン３０が押されていないことを確認し、撮影シーケンスを終了する。
【００６３】
（５）動画撮影
デジタルカメラ１は、動画を撮影する機能も有している。動画撮影モードでは、一定の周期で撮像センサ１１により画像データが生成され、生成される画像データを利用してコントラスト検出方式によるオートフォーカスが継続的に行われる。動画撮影モードにおいて、シャッターボタン３０が押される、あるいは動画撮影操作ボタン２４が押されると、画像記録部１８に動画が記録され、シャッターボタン３０、あるいは動作撮影操作ボタン２４が再度押されると、画像記録部１８での動画の記録が停止する。
＜デジタルカメラの特徴＞
以上に説明したデジタルカメラ１の特徴は以下の通りである。
（１）
このデジタルカメラ１では、フォーカスレンズユニット７５がフォーカスモータ６４のみによって第２レンズ群ユニット７７に対して光軸方向に駆動されるため、フォーカスモータ６４に電力が供給されていない状態では、フォーカスレンズユニット７５は第２レンズ群ユニット７７に対して光軸方向に移動しない。このため、フォーカスモータ６４に電力が供給されてない状態でユーザーがズームリング８４を操作すると、フォーカスレンズユニット７５は第２レンズ群ユニット７７と相対移動することなく第２レンズ群ユニット７７と一体で光軸方向に駆動される。このとき、フォーカスレンズユニット７５と第４レンズ群ユニット７８との間には常に隙間が確保されているため、フォーカスモータ６４に電力が供給されていない状態であっても、フォーカスレンズユニット７５が第４レンズ群ユニット７８と接触するのを防止できる。より詳細には、第３レンズ群支持枠５６が第１支持枠５７と接触するのを防止できる。これにより、この交換レンズユニット２では部材の破損を防止できる。
【００６４】
特に、前述の式（１）を満たすように各部の配置が決定されているため、フォーカスレンズユニット７５と第２レンズ群ユニット７７との光軸方向の距離が最大である状態でズームリング８４が操作された場合に、第３レンズ群支持枠５６と第１支持枠５７との間には隙間が確保されている。これにより、部材の接触を確実に防止できる。
（２）
このデジタルカメラ１では、フォーカスモータ６４のみによりフォーカスレンズユニット７５を第２レンズ群ユニット７７に対して駆動しているため、ズームリング８４の操作に伴ってフォーカスレンズユニット７５を第２レンズ群ユニット７７に対して移動させる構造にする必要がない。このため、フォーカスレンズユニット７５を駆動するための構造を簡素化することができ、フォーカスレンズユニット７５の小型化および軽量化を図りやすくなる。
【００６５】
さらには、フォーカスモータ６４がステッピングモータであるため、フォーカスレンズユニット７５の駆動速度が比較的速くなる。また、フォーカスレンズユニット７５の移動、およびフォーカスレンズユニット７５の反転動作を円滑かつ高速に行うことができるので、動画撮影時に必要なウォブリング（微小振幅振動）動作を円滑かつ高速に行うことができ、静止画撮影時のみならず、動画撮影時においても高精度のフォーカシングが可能となる。
以上より、このデジタルカメラ１では、高速でフォーカシングを行うことができる。
（３）
このデジタルカメラ１では、リードスクリュ６４ａおよびラック６６によりリードスクリュ６４ａの回転運動をフォーカスレンズユニット７５のＺ軸方向への直進運動に変換しているため、バックラッシュも比較的小さく抑えることができる。これにより、フォーカシングの精度を高めることができる。
【００６６】
（４）
このデジタルカメラ１では、フォーカスレンズユニット７５およびフォーカスモータ６４が第２レンズ群ユニット７７と一体でＺ軸方向に移動するようになっているため、ユーザーによりズームリング８４が素早く操作された場合でも、フォーカスレンズユニット７５を第２レンズ群ユニット７７と一体で移動させることができる。したがって、変倍動作の前後で被写体距離を実質的に一定に保ちたい場合に、フォーカスモータ６４は、撮像センサ１１に対して第３レンズ群Ｇ３が移動すべき距離から撮像センサ１１に対して第２レンズ群Ｇ２がカム機構により移動する距離を差し引いた距離だけ、第３レンズ群Ｇ３を移動させればよい。これにより、ユーザーによるズームリング８４の高速操作への対応が容易となる。
【００６７】
［第２実施形態］
前述の第１実施形態では、式（１）を満たすように光学系Ｌの配置を決定することで、部材の破損を防止しているが、フォーカスモータ６４によりフォーカスレンズユニット７５を第４レンズ群ユニット７８と接触しない位置に駆動する構成も考えられる。
なお、以降の実施形態においては、前述の第1実施形態と実質的に同じ機能を有する構成に対して同じ符号を付し、その構成の詳細な説明は省略する。
図１７に示すカメラシステム１０１では、交換レンズユニット１０２が予備バッテリーユニット１９８を有している。予備バッテリーユニット１９８は、交換レンズユニット２の各部に電力供給が可能であり、さらに、カメラ本体３のバッテリー２２からの電力供給が停止したことを検知する機能を有している。予備バッテリーユニット１９８は、バッテリー２２からフォーカスモータ６４への電力供給が停止した場合にフォーカスモータ６４に電力を供給することができる。
【００６８】
ここで、カメラ本体３からの電力供給が停止する原因としては、電源スイッチ２５がオフになる、交換レンズユニット２がカメラ本体３から取り外される、バッテリー２２の残量が少なくなる、などが考えられる。
図１８に示すように、前述のデジタルカメラ１とは異なり、このカメラシステム１０１の光学系Ｌの配置が式（１）の条件を満たしていない。このため、フォーカスモータ６４への電力供給が停止した状態でユーザーがズームリング８４を操作すると、接触範囲Ｃ内ではフォーカスレンズユニット７５が第４レンズ群ユニット７８に接触するおそれがある。
しかし、このカメラシステム１０１では、図１９に示す電力供給停止検出処理が交換レンズユニット１０２で実行されるため、部材の接触を防止できる。
【００６９】
具体的には図１９に示すように、予備バッテリーユニット１９８によりバッテリー２２からの電力供給が停止したか否かが監視される（Ｓ１）。電力供給が停止した場合、バッテリー２２に代わって予備バッテリーユニット１９８が交換レンズユニット１０２の各部に電力を一時的に供給する（Ｓ２）。次に、レンズマイコン４０により、フォーカスレンズユニット７５が原点位置Ｄで停止しているか否かが確認される（Ｓ３）。フォーカスレンズユニット７５が原点位置Ｄで停止しているか否かは、フォトセンサ６７により第３レンズ群支持枠５６の突起５６ｄが検出されているか否かにより判定することができる。
図１８に示すように原点位置Ｄであればフォーカスレンズユニット７５と第４レンズ群ユニット７８とのＺ軸方向間に常に隙間が確保できるため、原点位置Ｄはフォーカスレンズユニット７５が第４レンズ群ユニット７８と接触しない位置であると言える。フォーカスレンズユニット７５が原点位置Ｄで停止していない場合は、レンズマイコン４０がフォーカス駆動制御部４１に駆動命令を送信する。この結果、フォーカス駆動制御部４１からフォーカスモータ６４へ駆動信号が送信され、フォーカスレンズユニット７５が原点位置Ｄまでフォーカスモータ６４により駆動される。このとき、レンズマイコン４０はカウンタ４０ｂのカウント値に基づいてフォーカスレンズユニット７５の現在位置を把握し得るため、フォーカスレンズユニット７５を駆動すべき方向も把握し得る。フォーカスレンズユニット７５の駆動完了後、予備バッテリーユニット１９８からの電力供給が停止される（Ｓ５）。
【００７０】
一方、フォーカスレンズユニット７５が原点位置Ｄに配置されている場合は、フォーカスレンズユニット７５を駆動する必要がないため。ステップＳ３の後に、予備バッテリーユニット１９８からの電力供給が停止される（Ｓ５）。
この場合、フォーカスレンズユニット７５が第４レンズ群ユニット７８と接触する位置で停止していても、予備バッテリーユニット１９８により電力供給が確保されている状態で、フォーカスレンズユニット７５が第４レンズ群ユニット７８と接触しない位置まで駆動される。このため、このカメラシステム１０１では部材の破損を防止できる。
また、原点位置Ｄが無限遠のトラッキングテーブル１００におけるフォーカスレンズユニット７５の移動範囲の中央付近に配置されている。この場合、トラッキング動作が再開された時点でフォーカスレンズユニット７５が原点位置Ｄに配置されているため、フォーカスレンズユニット７５をどのような位置にも比較的短時間で移動させることができる。
【００７１】
なお、前述の第１実施形態とは異なり、式（１）を満たす必要がないため、第４レンズ群Ｇ４を第３レンズ群Ｇ３に近づけて配置でき、光学系Ｌの小型化が可能となる。また、光学系Ｌの小型化が不要な場合は、光学設計の自由度が高まる。
［第３実施形態］
前述の第２実施形態では、実際に主電源からの電力供給が停止してから、フォーカスレンズユニット７５を退避させているが、電力供給が停止されることを予測して予めフォーカスレンズユニット７５を退避させてもよい。
例えば図２０に示すデジタルカメラ２０１では、カメラ本体２０３が、バッテリー２２を収容する収容部２９１と、バッテリー蓋２９２（蓋部材の一例）と、蓋検知センサ２９３（予備動作検知部の一例）と、を有している。前述の第２実施形態とは異なり、交換レンズユニット２が予備バッテリーユニット１９８を有していない。
【００７２】
バッテリー蓋２９２は収容部２９１に対して開閉可能に設けられている。蓋検知センサ２９３は、バッテリー蓋２９２の開閉状態を検知するためのセンサであり、ボディーマイコン１０に検知信号を送信する。収容部２９１がバッテリー２２を支持するロック機構（図示せず）を有しているため、バッテリー蓋２９２を開いた状態でもバッテリー２２は収容部２９１から脱落しない。バッテリー蓋２９２が開いた状態でユーザーがロック機構を解除すると、バッテリー２２を収容部２９１から取り出すことができる。つまり、バッテリー蓋２９２が開いた状態では、ユーザーがバッテリー２２を取り外す可能性がある。
例えば図２１に示すように、バッテリー蓋２９２の開閉状態がボディーマイコン１０により監視される（Ｓ１１）。具体的には、バッテリー蓋２９２が開かれると、蓋検知センサ２９３が、バッテリー蓋２９２が開いたことを検知し、ボディーマイコン１０に検知信号を送信する。この信号に基づいて、ボディーマイコン１０はバッテリー蓋２９２が開状態であることを把握することができる。
【００７３】
バッテリー蓋２９２が開かれた場合、ユーザーがバッテリー２２を取り外す可能性が高いため、フォーカス調節ユニット７２でのトラッキング動作を停止する（Ｓ１２）。より詳細には、ボディーマイコン１０からレンズマイコン４０へ電子トラッキングの停止命令が送信される。この停止命令に基づいて、レンズマイコン４０は電子トラッキング動作を停止する。「トラッキング動作が停止する」とは、ズームリング８４およびフォーカスリング８９を操作しても、フォーカスモータ６４が駆動されないことを意味している。
トラッキング動作の停止後、現在の被写体距離がメモリ４０ａに記憶される（Ｓ１３）。言い換えると、現在選択されているトラッキングテーブルがどのトラッキングテーブル１００であるかがメモリ４０ａに記憶される（Ｓ１３）。
被写体距離の記憶後、フォーカスレンズユニット７５が原点位置Ｄに配置されているか否かがボディーマイコン１０により確認される（Ｓ１４）。より詳細には、フォーカスレンズユニット７５の突起５６ｄをフォトセンサ６７が検出しているか否かをボディーマイコン１０により判定される。フォーカスレンズユニット７５が原点位置Ｄに配置されていない場合は、フォーカスモータ６４によりフォーカスレンズユニット７５を原点位置Ｄまで駆動する（Ｓ１５）。具体的には、フォーカスレンズユニット７５の現在位置に基づいて、レンズマイコン４０はフォーカスレンズユニット７５をどちらの方向に駆動する必要があるのかを判断し、レンズマイコン４０からフォーカス駆動制御部４１へフォーカスモータ６４の駆動命令が送信される。この駆動命令に基づいて、フォーカス駆動制御部４１によりフォーカスモータ６４の駆動信号が生成され、この駆動信号によりフォーカスモータ６４は駆動される。フォトセンサ６７が突起５６ｄを検出すると、フォーカスモータ６４によるフォーカスレンズユニット７５の駆動が停止する。フォーカスレンズユニット７５が原点位置Ｄに配置されている場合は、処理がステップＳ１６に移行する。
【００７４】
フォーカスレンズユニット７５を退避させた後、例えば「バッテリー蓋が開いた状態です」のような警告が表示部２０に表示される（Ｓ１６）。この警告表示により、バッテリー蓋２９２が開いた状態であることをユーザーが認識しやすくなり、フォーカス調節ユニット７２での電子トラッキングが停止している理由をユーザーが理解しやすくなる。
警告表示後、バッテリー蓋２９２の状態がボディーマイコン１０により確認される（Ｓ１７）。バッテリー蓋２９２が開いている場合は、バッテリー蓋２９２の状態の監視が継続される。ユーザーがバッテリー蓋２９２を閉めると、蓋検知センサ２９３によりバッテリー蓋２９２が閉められたことが検知される。この検知結果に基づいて、ボディーマイコン１０により蓋検知センサ２９３が閉状態であると判定され、フォーカス調節ユニット７２でのトラッキング動作が再開される（Ｓ１８）。具体的には、ズームリング８４の回転位置がリニアポジションセンサ８７により検出され、ズームリング８４の回転位置に対応した位置にフォーカスモータ６４によりフォーカスレンズユニット７５が駆動される。このとき用いられるトラッキングテーブル１００は、ステップＳ１３で記憶された被写体距離に対応するトラッキングテーブル１００である。
【００７５】
この場合、バッテリー蓋２９２が開かれた際に、バッテリー２２が取り外されることを予測し、バッテリー２２が取り外される前にフォーカスレンズユニット７５が第４レンズ群ユニット７８と接触しない原点位置Ｄまで自動的に駆動される。このため、バッテリー２２が取り外された状態でユーザーがズームリング８４を操作しても、フォーカスレンズユニット７５が第４レンズ群ユニット７８と接触しない。
また、原点位置Ｄが無限遠のトラッキングテーブル１００におけるフォーカスレンズユニット７５の移動範囲の中央付近に配置されている。この場合、トラッキング動作が再開された時点でフォーカスレンズユニット７５が原点位置Ｄに配置されているため、フォーカスレンズユニット７５をどのような位置にも比較的短時間で移動させることができる。
なお、前述の第２実施形態と同様に、式（１）を満たす必要がないため、第４レンズ群Ｇ４を第３レンズ群Ｇ３に近づけて配置でき、光学系Ｌの小型化が可能となる。また、光学系Ｌの小型化が不要な場合は、光学設計の自由度が高まる。
【００７６】
［第４実施形態］
スリープモードや再生モードのようにフォーカス調節ユニット７２での電子トラッキングが不要なモードに切り換わった場合に、フォーカスレンズユニット７５を退避させる構成も考えられる。スリープモードおよび再生モードは、交換レンズユニットが動作する必要がない休止モードの一例である。
例えば図２２に示すように、動作モードが再生モードであるか否かがボディーマイコン１０により判定される（Ｓ２１）。動作モードが再生モードでない場合は、スリープモードに移行しているか否かがボディーマイコン１０により判定される（Ｓ２２）。スリープモードとは、動画や静止画を撮影するモードにおいて所定時間だけ操作が入力されない状態が継続された際にデジタルカメラ１の動作が一次的に休止するモードである。スリープモードに移行していない場合は、再生モードおよびスリープモードの監視がボディーマイコン１０により継続される（Ｓ２１、Ｓ２２）。
【００７７】
一方、再生モードまたはスリープモードである場合は、前述の第３実施形態と同様にフォーカス調節ユニット７２でのトラッキング動作が停止される（Ｓ２３）。トラッキング動作の停止後、前述の第３実施形態と同様に、現在の被写体距離がメモリ４０ａに記憶される（Ｓ２４）。
被写体距離の記憶後、フォーカスレンズユニット７５が原点位置Ｄに配置されているか否かがボディーマイコン１０により確認される（Ｓ２５）。より詳細には、フォーカスレンズユニット７５の突起５６ｄをフォトセンサ６７が検出しているか否かをボディーマイコン１０により判定される。フォーカスレンズユニット７５が原点位置Ｄに配置されていない場合は、フォーカスモータ６４によりフォーカスレンズユニット７５を原点位置Ｄまで駆動する（Ｓ２６）。具体的には、フォーカスレンズユニット７５の現在位置に基づいて、レンズマイコン４０はフォーカスレンズユニット７５をどちらの方向に駆動する必要があるのかを判断し、レンズマイコン４０からフォーカス駆動制御部４１へフォーカスモータ６４の駆動命令が送信される。この駆動命令に基づいて、フォーカス駆動制御部４１によりフォーカスモータ６４の駆動信号が生成され、この駆動信号によりフォーカスモータ６４は駆動される。フォトセンサ６７が突起５６ｄを検出すると、フォーカスモータ６４によるフォーカスレンズユニット７５の駆動が停止する。フォーカスレンズユニット７５が原点位置Ｄに配置されている場合は、処理がステップＳ３７に移行する。
【００７８】
フォーカスレンズユニット７５を退避させた後、再生モードまたはスリープモードであるか否かがボディーマイコン１０により判定される（Ｓ２７、Ｓ２８）。再生モードまたはスリープモードである場合は、モードの監視が継続される。一方、再生モードおよびスリープモードのいずれでもない場合は、ユーザーが撮影を行うことが予測されるため、フォーカス調節ユニット７２でのトラッキング動作が再開される（Ｓ２９）。このとき、記憶されている被写体距離に対応するトラッキングテーブルに基づいて電子トラッキングが行われる。
この場合、再生モードまたはスリープモードにデジタルカメラ１の状態が切り換わるとい、フォーカスレンズユニット７５が第４レンズ群ユニット７８と接触しない原点位置Ｄまで自動的に駆動される。このため、例えば交換レンズユニット２がカメラ本体３から取り外された状態で交換レンズユニット２のズームリング８４が操作されても、フォーカスレンズユニット７５が第４レンズ群ユニット７８と接触しない。
【００７９】
また、再生モードでは交換レンズユニット２を使用する必要がないため、これらのモードでユーザーがズームリング８４やフォーカスリング８９を誤って操作したとしても、フォーカスレンズユニット７５が駆動されない。このため、余分な電力の消費を低減できる。
さらには、原点位置Ｄが無限遠のトラッキングテーブル１００におけるフォーカスレンズユニット７５の移動範囲の中央付近に配置されている。この場合、トラッキング動作が再開された時点でフォーカスレンズユニット７５が原点位置Ｄに配置されているため、フォーカスレンズユニット７５をどのような位置にも比較的短時間で移動させることができる。
なお、スリープモードでのトラッキング動作の停止は、交換レンズユニット２全体への電力の供給の停止により実現してもよい。また、スリープモードでは、デジタルカメラ１を操作可能な状態としておき、何らかの操作がなされた場合にスリープモードを解除するようにしてもよい。
【００８０】
また、前述の第２実施形態と同様に、式（１）を満たす必要がないため、第４レンズ群Ｇ４を第３レンズ群Ｇ３に近づけて配置でき、光学系Ｌの小型化が可能となる。また、光学系Ｌの小型化が不要な場合は、光学設計の自由度が高まる。
［第５実施形態］
さらに、レンズ取り外しボタン９９の操作に基づいて交換レンズユニット２が取り外されることを予測してもよい。
例えば図２３に示すように、レンズ取り外しボタン９９の状態がボディーマイコン１０により監視される（Ｓ３１）。レンズ取り外しボタン９９が押されると、交換レンズユニット２がカメラ本体３から取り外される可能性が高いため、交換レンズユニット２が取り外され交換レンズユニット２への電力供給が停止される前に、フォーカスレンズユニット７５の退避が行われる。具体的には、フォーカス調節ユニット７２でのトラッキング動作を停止し（Ｓ３２）、現在の被写体距離がメモリ４０ａに記憶される（Ｓ３３）。
【００８１】
被写体距離の記憶後、フォーカスレンズユニット７５が原点位置Ｄに配置されているか否かがボディーマイコン１０により確認される（Ｓ３４）。より詳細には、フォーカスレンズユニット７５の突起５６ｄをフォトセンサ６７が検出しているか否かをボディーマイコン１０により判定される。フォーカスレンズユニット７５が原点位置Ｄに配置されていない場合は、フォーカスモータ６４によりフォーカスレンズユニット７５が原点位置Ｄまで駆動される（Ｓ３５）。具体的には、フォーカスレンズユニット７５の現在位置に基づいて、レンズマイコン４０はフォーカスレンズユニット７５をどちらの方向に駆動する必要があるのかを判断し、レンズマイコン４０からフォーカス駆動制御部４１へフォーカスモータ６４の駆動命令が送信される。この駆動命令に基づいて、フォーカス駆動制御部４１によりフォーカスモータ６４の駆動信号が生成され、この駆動信号によりフォーカスモータ６４が駆動される。フォトセンサ６７が突起５６ｄを検出すると、フォーカスモータ６４によるフォーカスレンズユニット７５の駆動が停止する。フォーカスレンズユニット７５が原点位置Ｄに配置されている場合は、処理がステップＳ３６に移行する。
【００８２】
フォーカスレンズユニット７５を退避させた後、レンズ取り外しボタン９９の状態がボディーマイコン１０により監視される（Ｓ３６）。レンズ取り外しボタン９９が押されていない状態となった場合、交換レンズユニット２が取り外されている状態か否かがボディーマイコン１０により判定される（Ｓ３７）。交換レンズユニット２が取り外されている場合、例えばレンズ側接点９１を介してボディーマイコン１０とレンズマイコン４０との間で行われている交信が途絶える。つまり、ボディーマイコン１０は交換レンズユニット２が装着されている状態か否かを把握することができる。交換レンズユニット２の装着が継続されている場合、ユーザーがレンズ取り外しボタン９９を押しただけであると考えられるため、トラッキング動作が再開される（Ｓ３８）。
ステップＳ３７において交換レンズユニット２が取り外された状態であると判定された場合、レンズ取り外し検出処理は終了する。
【００８３】
この場合、レンズ取り外しボタン９９の操作に基づいて交換レンズユニット２がカメラ本体３から取り外されることを予測し、交換レンズユニット２への電力供給が停止する前にフォーカスレンズユニット７５を第４レンズ群ユニット７８と接触しない位置まで退避させることができる。
また、原点位置Ｄが無限遠のトラッキングテーブル１００におけるフォーカスレンズユニット７５の移動範囲の中央付近に配置されている。トラッキング動作が再開された時点でフォーカスレンズユニット７５が原点位置Ｄに配置されているため、フォーカスレンズユニット７５をどのような位置にも比較的短時間で移動させることができる。
なお、前述の第２実施形態と同様に、式（１）を満たす必要がないため、第４レンズ群Ｇ４を第３レンズ群Ｇ３に近づけて配置でき、光学系Ｌの小型化が可能となる。また、光学系Ｌの小型化が不要な場合は、光学設計の自由度が高まる。
【００８４】
［他の実施形態］
本発明の実施形態は、前述の実施形態に限られず、本発明の趣旨を逸脱しない範囲で種々の修正および変更が可能である。また、前述の実施形態は、本質的に好ましい例示であって、本発明、その適用物、あるいはその用途の範囲を制限することを意図するものではない。
（１）
前述の実施形態では、デジタルカメラは静止画および動画の撮影が可能であるが、静止画撮影のみ、あるいは、動画撮影のみ可能であってもよい。
（２）
前述の第１〜第４実施形態においては、デジタルカメラは、例えばデジタルスチルカメラ、デジタルビデオカメラ、カメラ付き携帯電話およびカメラ付きＰＤＡであってもよい。
【００８５】
前述の第５実施形態においては、デジタルカメラが交換レンズ式であればよい。
（３）
前述のデジタルカメラ１はクイックリターンミラーを有していないが、従来の一眼レフカメラのようにクイックリターンミラーが搭載されていてもよい。
（４）
光学系Ｌの構成は前述の実施形態に限定されない。例えば、第３レンズ群Ｇ３が複数のレンズから構成されていてもよいし、第２レンズ群Ｇ２が単一のレンズから構成されていてもよい。
また、光学系Ｌの配置は、図１３に示す配置に限定されない。例えば、距離Ｌ２Ｂ−Ｌ３Ｂ（ｘ）が広角端側で最大となってもよいし、第２レンズ群ユニット７７とフォーカスレンズユニット７５との間の距離が最短になる位置Ａ１が望遠端付近ではなく広角端付近にあってもよい。
【００８６】
（５）
前述の第１実施形態では、フォーカスレンズユニット７５の第３レンズ群支持枠５６と第４レンズ群ユニット７８の第１支持枠５７とが最も接近するが、例えば、第３レンズ群Ｇ３（第６レンズＬ６）と第４レンズ群Ｇ４の第７レンズＬ７とが最も接近する構成であってもよい。この場合、距離Ｌ３Ｂ（ｘ）およびＬ４Ｆ（ｘ）は第６レンズＬ６および第７レンズＬ７の表面を基準として決定される。
（６）
前述の実施形態では、シャッターユニット３３を動作させることにより撮像センサ１１への露光時間を制御しているが、電子シャッターにより撮像センサ１１の露光時間を制御してもよい。
【００８７】
（７）
前述の実施形態では、レンズマイコン４０により電子トラッキングが行われるが、ボディーマイコン１０からレンズマイコン４０に命令が送信され、その命令に基づいて電子トラッキングの制御が行われてもよい。
（８）
前述の第３〜第５実施形態は、別々の実施形態として記載されているが、各実施形態の構成を組み合わせてもよい。
（９）
前述の第２〜第５実施形態では、フォーカスレンズユニット７５を退避させる際に原点位置Ｄ（予め定められた位置の一例）までフォーカスレンズユニット７５が駆動されるが、退避させる位置は原点位置Ｄに限定されない。例えば、フォーカスレンズユニット７５が第４レンズ群ユニット７８と接触しない位置であれば、他の位置であってもよい。
【００８８】
また、フォトセンサ６７の検出結果に基づいてフォーカスレンズユニット７５を駆動するか否かを判定しているが、カウンタ４０ｂでのカウント値などの他の情報に基づいてフォーカスレンズユニット７５の駆動の要否を判定してもよい。
さらに、特定の位置ではなく、予め定められた特定の範囲にフォーカスレンズユニット７５が配置されているか否かに基づいて、フォーカスレンズユニット７５の駆動の要否を決定してもよい。
【産業上の利用可能性】
【００８９】
本発明は、部材の破損の防止が望まれるデジタルスチルカメラ、デジタルビデオカメラ、交換レンズ式デジタルカメラ、カメラ付き携帯電話およびカメラ付きＰＤＡなどの撮像装置に好適である。
【図面の簡単な説明】
【００９０】
【図１】デジタルカメラの概略構成図
【図２】カメラ本体の構成を示すブロック図
【図３】デジタルカメラの概略斜視図
【図４】（Ａ）カメラ本体の上面図、（Ｂ）カメラ本体の背面図
【図５】交換レンズユニットの断面図（広角端）
【図６】交換レンズユニットの断面図（広角端）
【図７】交換レンズユニットの断面図（望遠端）
【図８】交換レンズユニットの断面図（望遠端）
【図９】第２レンズ群ユニットおよびフォーカスレンズユニットの分解斜視図
【図１０】第２レンズ群ユニットおよびフォーカスレンズユニットの分解斜視図
【図１１】フォーカスレンズユニットの部分斜視図
【図１２】（Ａ）光学系の構成図（広角端）、（Ｂ）光学系の構成図（望遠端）
【図１３】ズームリングの回転角度と各部材の撮像センサからの距離との関係を示すグラフ
【図１４】ズームレンズ系を実現するためのトラッキングテーブル
【図１５】交換レンズユニットの断面図（広角端）
【図１６】交換レンズユニットの断面図（望遠端）
【図１７】デジタルカメラの概略構成図（第２実施形態）
【図１８】ズームリングの回転角度と各部材の撮像センサからの距離との関係を示すグラフ（第２実施形態）
【図１９】電力供給停止検出処理のフローチャート（第２実施形態）
【図２０】デジタルカメラの概略構成図（第３実施形態）
【図２１】バッテリー蓋検出処理のフローチャート（第３実施形態）
【図２２】モード検出処理のフローチャート（第４実施形態）
【図２３】レンズ着脱検出処理のフローチャート（第５実施形態）
【符号の説明】
【００９１】
１  デジタルカメラ（撮像装置の一例）
２  交換レンズユニット（レンズ鏡筒の一例）
３  カメラ本体
３ａ  筐体
４  ボディーマウント
１０  ボディーマイコン（駆動制御部の一例、予備動作検知部の一例）
１１  撮像センサ（撮像素子の一例）
１２  撮像センサ駆動制御部
２０  表示部
２１  画像表示制御部
２２  バッテリー（主電源の一例）
４０  レンズマイコン（駆動制御部の一例）
５０  固定枠
５１  カム筒
５２  第１ホルダー
５３  第１レンズ群支持枠
５４  第２レンズ群支持枠（第１レンズ支持枠の一例）
５５  第２ホルダー（第１レンズ支持枠の一例）
６１  第４レンズ群支持枠（第２レンズ支持枠の一例）
６４  フォーカスモータ（フォーカスアクチュエータの一例）
６７  フォトセンサ（位置センサの一例）
７５  フォーカスレンズユニット
７７  第２レンズ群ユニット（第１レンズユニットの一例）
７８  第４レンズユニット（第２レンズユニットの一例）
８３  ズームリングユニット（ズーム機構の一例）
８４  ズームリング（ズーム操作部の一例）
８７  リニアポジションセンサ
８８  フォーカスリングユニット
８９  フォーカスリング
９０  フォーカスリング角度検出部
９９  レンズ取り外しボタン（レンズ取り外し操作部の一例、予備動作検知部の一例）
１００  トラッキングテーブル
２９１  収容部
２９２  バッテリー蓋（蓋部材の一例）
２９３  蓋検知センサ（予備動作検知部の一例）
Ｌ  光学系
Ｇ１  第１レンズ群
Ｇ２  第２レンズ群
Ｇ３  第３レンズ群
Ｇ４  第４レンズ群
Ｌ５  第５レンズ（第１レンズ素子の一例）
Ｌ６  第６レンズ（フォーカスレンズの一例）
Ｌ７  第７レンズ（第２レンズ素子の一例）
【図１】
2010049203.tif 000003
【図２】
2010049203.tif 000004
【図３】
2010049203.tif 000005
【図４】
2010049203.tif 000006
【図５】
2010049203.tif 000007
【図６】
2010049203.tif 000008
【図７】
2010049203.tif 000009
【図８】
2010049203.tif 000010
【図９】
2010049203.tif 000011
【図１０】
2010049203.tif 000012
【図１１】
2010049203.tif 000013
【図１２】
2010049203.tif 000014
【図１３】
2010049203.tif 000015
【図１４】
2010049203.tif 000016
【図１５】
2010049203.tif 000017
【図１６】
2010049203.tif 000018
【図１７】
2010049203.tif 000019
【図１８】
2010049203.tif 000020
【図１９】
2010049203.tif 000021
【図２０】
2010049203.tif 000022
【図２１】
2010049203.tif 000023
【図２２】
2010049203.tif 000024
【図２３】
2010049203.tif 000025